(57)【特許請求の範囲】
【請求項１】
携帯端末から遠隔操作可能な画像形成装置であって、
原稿を読み取って第１の画像データを生成する画像読取部と、
ユーザーによる前記携帯端末の操作によって設定される前記画像形成装置における原稿に対する処理に係る設定値と、対応する原稿の少なくとも一部を示す第２の画像データとを含む、ジョブ・チケットを受信する受信部と、
前記画像読取部によって生成された第１の画像データに対応する第２の画像データを含むジョブ・チケットを検索する検索部と、
前記検索部によって対応付けられたジョブ・チケットに含まれる設定値に従って、対応する第１の画像データについての処理を実行する処理実行部とを備え、
前記携帯端末は、撮像手段を有しており、
前記第２の画像データは、ユーザーが前記携帯端末の前記撮像手段を用いて、当該ユーザーが処理しようとする原稿を撮像することで得られるものである、画像形成装置。
【請求項２】
前記ジョブ・チケットは、対応する原稿の最終ページの画像である第３の画像データを含む、請求項１に記載の画像形成装置。
【請求項３】
前記ジョブ・チケットは、対応する原稿の枚数の情報を含む、請求項１に記載の画像形成装置。
【請求項４】
携帯端末から遠隔操作可能な画像形成装置であって、
原稿を読み取って第１の画像データを生成する画像読取部と、
ユーザーによる前記携帯端末の操作によって設定される前記画像形成装置における原稿に対する処理に係る設定値と、対応する原稿の少なくとも一部を示す第２の画像データとを含む、ジョブ・チケットを受信する受信部と、
前記画像読取部によって生成された第１の画像データに対応する第２の画像データを含むジョブ・チケットを検索する検索部と、
前記検索部によって対応付けられたジョブ・チケットに含まれる設定値に従って、対応する第１の画像データについての処理を実行する処理実行部とを備え、
前記検索部は、前記画像読取部が原稿を１枚読み取るたびにジョブ・チケットの検索処理を実行するとともに、新たなジョブ・チケットが検索された場合には、前記画像読取部によって生成された第１の画像データを処理するための設定値を、当該新たに検索されたジョブ・チケットに含まれる設定値に更新する、画像形成装置。
【請求項５】
前記第２の画像データは、ユーザーが処理しようとする原稿の先頭ページの画像を含む、請求項１〜４のいずれか１項に記載の画像形成装置。
【請求項６】
前記画像読取部は、原稿の１枚毎に第１の画像データを生成し、
前記第１の画像データを格納する第１の記憶部をさらに備える、請求項１〜５のいずれか１項に記載の画像形成装置。
【請求項７】
前記ジョブ・チケットは、当該ジョブ・チケットの送信元の携帯端末を示す識別情報を含み、
処理対象のジョブ・チケットに係る原稿に対する処理の完了の判断に応答して、当該ジョブ・チケットの送信元の携帯端末へ対応する識別情報に基づいてジョブの完了を報告する報告部をさらに備える、請求項１〜６のいずれか１項に記載の画像形成装置。
【請求項８】
前記検索部は、新たなジョブ・チケットが検索された場合には、直前に検索したジョブ・チケットを削除する、請求項１〜７のいずれか１項に記載の画像形成装置。
【請求項９】
携帯端末から遠隔操作可能な画像形成装置における画像形成方法であって、
原稿を読み取って第１の画像データを生成するステップと、
ユーザーによる前記携帯端末の操作によって設定される前記画像形成装置における原稿に対する処理に係る設定値と、対応する原稿の少なくとも一部を示す第２の画像データとを含む、ジョブ・チケットを受信するステップと、
前記第１の画像データに対応する第２の画像データを含むジョブ・チケットを検索するステップと、
前記検索するステップによって対応付けられたジョブ・チケットに含まれる設定値に従って、対応する第１の画像データについての処理を実行するステップとを含み、
前記携帯端末は、撮像手段を有しており、
前記第２の画像データは、ユーザーが前記携帯端末の前記撮像手段を用いて、当該ユーザーが処理しようとする原稿を撮像することで得られるものである、画像形成方法。
【請求項１０】
携帯端末から遠隔操作可能な画像形成装置における画像形成方法であって、
原稿を読み取って第１の画像データを生成するステップと、
ユーザーによる前記携帯端末の操作によって設定される前記画像形成装置における原稿に対する処理に係る設定値と、対応する原稿の少なくとも一部を示す第２の画像データとを含む、ジョブ・チケットを受信するステップと、
前記第１の画像データに対応する第２の画像データを含むジョブ・チケットを検索するステップと、
前記検索するステップによって対応付けられたジョブ・チケットに含まれる設定値に従って、対応する第１の画像データについての処理を実行するステップとを含み、
前記検索するステップは、前記生成するステップにおいて原稿を１枚読み取るたびにジョブ・チケットの検索処理を実行するとともに、新たなジョブ・チケットが検索された場合には、前記原稿を読み取って生成された第１の画像データを処理するための設定値を、当該新たに検索されたジョブ・チケットに含まれる設定値に更新する、画像形成方法。
【請求項１１】
画像形成システムであって、
携帯端末と、
前記携帯端末から遠隔操作可能な画像形成装置とを備え、
前記携帯端末は、ユーザーによる操作によって設定される前記画像形成装置における原
稿に対する処理に係る設定値と、対応する原稿の少なくとも一部を示す第２の画像データとを含む、ジョブ・チケットを生成する手段を含み、
前記画像形成装置は、
原稿を読み取って第１の画像データを生成する画像読取部と、
前記ジョブ・チケットを受信する受信部と、
前記画像読取部によって生成された第１の画像データに対応する第２の画像データを含むジョブ・チケットを検索する検索部と、
前記検索部によって対応付けられたジョブ・チケットに含まれる設定値に従って、対応する第１の画像データについての処理を実行する処理実行部とを含み、
前記携帯端末は、撮像手段を有しており、
前記第２の画像データは、ユーザーが前記携帯端末の前記撮像手段を用いて、当該ユーザーが処理しようとする原稿を撮像することで得られるものである、画像形成システム。
【請求項１２】
画像形成システムであって、
携帯端末と、
前記携帯端末から遠隔操作可能な画像形成装置とを備え、
前記携帯端末は、ユーザーによる操作によって設定される前記画像形成装置における原稿に対する処理に係る設定値と、対応する原稿の少なくとも一部を示す第２の画像データとを含む、ジョブ・チケットを生成する手段を含み、
前記画像形成装置は、
原稿を読み取って第１の画像データを生成する画像読取部と、
前記ジョブ・チケットを受信する受信部と、
前記画像読取部によって生成された第１の画像データに対応する第２の画像データを含むジョブ・チケットを検索する検索部と、
前記検索部によって対応付けられたジョブ・チケットに含まれる設定値に従って、対応する第１の画像データについての処理を実行する処理実行部とを含み、
前記検索部は、前記画像読取部が原稿を１枚読み取るたびにジョブ・チケットの検索処理を実行するとともに、新たなジョブ・チケットが検索された場合には、前記画像読取部によって生成された第１の画像データを処理するための設定値を、当該新たに検索されたジョブ・チケットに含まれる設定値に更新する、画像形成システム。
【請求項１３】
携帯端末から遠隔操作可能な画像形成装置で実行されるプログラムであって、前記プログラムは、前記画像形成装置を
原稿を読み取って第１の画像データを生成する画像読取部と、
ユーザーによる前記携帯端末の操作によって設定される前記画像形成装置における原稿に対する処理に係る設定値と、対応する原稿の少なくとも一部を示す第２の画像データとを含む、ジョブ・チケットを受信する受信部と、
前記画像読取部によって生成された第１の画像データに対応する第２の画像データを含むジョブ・チケットを検索する検索部と、
前記検索部によって対応付けられたジョブ・チケットに含まれる設定値に従って、対応する第１の画像データについての処理を実行する処理実行部として機能させ、
前記携帯端末は、撮像手段を有しており、
前記第２の画像データは、ユーザーが前記携帯端末の前記撮像手段を用いて、当該ユーザーが処理しようとする原稿を撮像することで得られるものである、プログラム。
【請求項１４】
携帯端末から遠隔操作可能な画像形成装置で実行されるプログラムであって、前記プログラムは、前記画像形成装置を
原稿を読み取って第１の画像データを生成する画像読取部と、
ユーザーによる前記携帯端末の操作によって設定される前記画像形成装置における原稿に対する処理に係る設定値と、対応する原稿の少なくとも一部を示す第２の画像データとを含む、ジョブ・チケットを受信する受信部と、
前記画像読取部によって生成された第１の画像データに対応する第２の画像データを含むジョブ・チケットを検索する検索部と、
前記検索部によって対応付けられたジョブ・チケットに含まれる設定値に従って、対応する第１の画像データについての処理を実行する処理実行部として機能させ、
前記検索部は、前記画像読取部が原稿を１枚読み取るたびにジョブ・チケットの検索処理を実行するとともに、新たなジョブ・チケットが検索された場合には、前記画像読取部によって生成された第１の画像データを処理するための設定値を、当該新たに検索されたジョブ・チケットに含まれる設定値に更新する、プログラム。
【発明の詳細な説明】
【技術分野】
【０００１】
本発明は、ＪＯＢ＿Ｔｉｃｋｅｔを用いた画像形成処理が可能な画像形成装置、その画像形成装置における画像形成方法、およびその画像形成装置を含む画像形成システムに関するものである。
【背景技術】
【０００２】
近年の情報処理技術の進歩に伴って、携帯端末の高機能化が進んでいる。このような携帯端末を利用して、プリンター、コピー機、ファクシミリ、複合機（multi-functional peripheral）等の画像形成装置を遠隔操作できるような構成が提案されている。
【０００３】
例えば、特開２００９−１５１６８６号公報（特許文献１）に開示されるジョブ実行システムは、携帯端末装置から画像形成装置へデータを送信して、画像形成装置に印刷等のジョブを行なわせる場合に、画像形成装置の占有時間の短縮化を図ることのできるとともに、携帯端末装置により入出したデータについてのジョブを確実に画像形成装置に実行させる。
【先行技術文献】
【特許文献】
【０００４】
【特許文献１】特開２００９−１５１６８６号公報
【発明の概要】
【発明が解決しようとする課題】
【０００５】
上述のような携帯端末から画像形成装置を遠隔操作するような構成を採用した場合、複数のユーザーがそれぞれの携帯端末を用いて共通の画像形成装置を遠隔操作するような状況における利便性が低下する可能性がある。特に、画像形成装置に原稿をセットして、携帯端末から当該原稿に対する処理に係る設定を行なうような場合には、それが顕著となる。
【０００６】
すなわち、画像形成装置側では、複数の携帯端末のそれぞれからの指令とセットされた原稿とを一対一で関連付ける必要がある。そのため、例えば、ユーザーが自身の携帯端末上で操作対象の画像形成装置の識別情報（典型的には、ＩＰ（Internet Protocol）アドレス）を入力し、操作対象の携帯端末と被操作対象の画像形成装置との間に一対一の関係をつくりだし、他の携帯端末による介入を禁止する方法等が採用される。
【０００７】
しかしながら、このような方法を採用した場合には、同時に１台の携帯端末しか画像形成装置を操作することができず、他のユーザーは、先に画像形成装置を操作しているユーザーの指定した処理が完了し、他の携帯端末による接続の禁止が解除されるまで、その操作を待ち続けなければならない。そのため、画像形成装置に備えられている固定式の操作パネルを用いた操作と実質的に何ら変わらないこととなり、携帯端末を用いてパネル設定を可能としたメリットが低減する。
【０００８】
そこで、本発明は、かかる課題を解決するためになされたものであり、その目的は、複数の携帯端末からの遠隔操作をより実用的に行なうことのできる、画像形成装置、画像形成方法および画像形成システムを提供することである。
【課題を解決するための手段】
【０００９】
本発明のある局面に従えば、携帯端末から遠隔操作可能な画像形成装置が提供される。画像形成装置は、原稿を読み取って第１の画像データを生成する画像読取部と、ユーザーによる携帯端末の操作によって設定される画像形成装置における原稿に対する処理に係る設定値と、対応する原稿の少なくとも一部を示す第２の画像データとを含む、ジョブ・チケットを受信する受信部と、画像読取部によって生成された第１の画像データに対応する第２の画像データを含むジョブ・チケットを検索する検索部と、検索部によって対応付けられたジョブ・チケットに含まれる設定値に従って、対応する第１の画像データについての処理を実行する処理実行部とを含む。携帯端末は、撮像手段を有しており、第２の画像データは、ユーザーが携帯端末の撮像手段を用いて、当該ユーザーが処理しようとする原稿を撮像することで得られるものである。
好ましくは、ジョブ・チケットは、対応する原稿の最終ページの画像である第３の画像データを含む。
好ましくは、ジョブ・チケットは、対応する原稿の枚数の情報を含む。
【００１１】
好ましくは、第２の画像データは、ユーザーが処理しようとする原稿の先頭ページの画像を含む。
【００１２】
好ましくは、画像読取部は、原稿の１枚毎に第１の画像データを生成し、画像形成装置は、第１の画像データを格納する第１の記憶部をさらに含む。
【００１３】
本発明の別の局面に従えば、携帯端末から遠隔操作可能な画像形成装置が提供される。画像形成装置は、原稿を読み取って第１の画像データを生成する画像読取部と、ユーザーによる携帯端末の操作によって設定される画像形成装置における原稿に対する処理に係る設定値と、対応する原稿の少なくとも一部を示す第２の画像データとを含む、ジョブ・チ
ケットを受信する受信部と、画像読取部によって生成された第１の画像データに対応する第２の画像データを含むジョブ・チケットを検索する検索部と、検索部によって対応付けられたジョブ・チケットに含まれる設定値に従って、対応する第１の画像データについての処理を実行する処理実行部とを含む。検索部は、画像読取部が原稿を１枚読み取るたびにジョブ・チケットの検索処理を実行するとともに、新たなジョブ・チケットが検索された場合には、画像読取部によって生成された第１の画像データを処理するための設定値を、当該新たに検索されたジョブ・チケットに含まれる設定値に更新する。
【００１４】
好ましくは、ＪＯＢ＿Ｔｉｃｋｅｔは、対応する原稿の最終ページの画像である第３の画像データを含む。
【００１５】
好ましくは、ＪＯＢ＿Ｔｉｃｋｅｔは、対応する原稿の枚数の情報を含む。
好ましくは、ＪＯＢ＿Ｔｉｃｋｅｔは、当該ＪＯＢ＿Ｔｉｃｋｅｔの送信元の携帯端末を示す識別情報を含み、画像形成装置は、処理対象のＪＯＢ＿Ｔｉｃｋｅｔに係る原稿に対する処理の完了の判断に応答して、当該ＪＯＢ＿Ｔｉｃｋｅｔの送信元の携帯端末へ対応する識別情報に基づいてＪＯＢの完了を報告する報告部をさらに含む。
【００１６】
好ましくは、検索部は、新たなＪＯＢ＿Ｔｉｃｋｅｔが検索された場合には、直前に検索したＪＯＢ＿Ｔｉｃｋｅｔを削除する。
【００１７】
本発明の別の局面に従えば、携帯端末から遠隔操作可能な画像形成装置における画像形成方法が提供される。画像形成方法は、原稿を読み取って第１の画像データを生成するステップと、ユーザーによる携帯端末の操作によって設定される画像形成装置における原稿に対する処理に係る設定値と、対応する原稿の少なくとも一部を示す第２の画像データとを含む、ジョブ・チケットを受信するステップと、第１の画像データに対応する第２の画像データを含むジョブ・チケットを検索するステップと、検索するステップによって対応付けられたジョブ・チケットに含まれる設定値に従って、対応する第１の画像データについての処理を実行するステップとを含む。携帯端末は、撮像手段を有しており、第２の画像データは、ユーザーが携帯端末の手段を用いて、当該ユーザーが処理しようとする原稿を撮像することで得られるものである。
本発明の別の局面に従えば、携帯端末から遠隔操作可能な画像形成装置における画像形成方法が提供される。画像形成方法は、原稿を読み取って第１の画像データを生成するステップと、ユーザーによる携帯端末の操作によって設定される画像形成装置における原稿に対する処理に係る設定値と、対応する原稿の少なくとも一部を示す第２の画像データとを含む、ジョブ・チケットを受信するステップと、第１の画像データに対応する第２の画像データを含むジョブ・チケットを検索するステップと、検索するステップによって対応付けられたジョブ・チケットに含まれる設定値に従って、対応する第１の画像データについての処理を実行するステップとを含む。検索するステップは、生成するステップにおいて原稿を１枚読み取るたびにジョブ・チケットの検索処理を実行するとともに、新たなジョブ・チケットが検索された場合には、原稿を読み取って生成された第１の画像データを処理するための設定値を、当該新たに検索されたジョブ・チケットに含まれる設定値に更新する。
【００１８】
本発明のさらに別の局面に従う画像形成システムは、携帯端末と、携帯端末から遠隔操作可能な画像形成装置とを含む。携帯端末は、ユーザーによる操作によって設定される画像形成装置における原稿に対する処理に係る設定値と、対応する原稿の少なくとも一部を示す第２の画像データとを含む、ジョブ・チケットを生成する手段を含む。画像形成装置は、原稿を読み取って第１の画像データを生成する画像読取部と、ジョブ・チケットを受信する受信部と、画像読取部によって生成された第１の画像データに対応する第２の画像データを含むジョブ・チケットを検索する検索部と、検索部によって対応付
けられたジョブ・チケットに含まれる設定値に従って、対応する第１の画像データについての処理を実行する処理実行部とを含む。携帯端末は、撮像手段を有しており、第２の画
像データは、ユーザーが携帯端末の撮像手段を用いて、当該ユーザーが処理しようとする原稿を撮像することで得られるものである。
本発明のさらに別の局面に従う画像形成システムは、携帯端末と、携帯端末から遠隔操作可能な画像形成装置とを含む。携帯端末は、ユーザーによる操作によって設定される画像形成装置における原稿に対する処理に係る設定値と、対応する原稿の少なくとも一部を示す第２の画像データとを含む、ジョブ・チケットを生成する手段を含む。画像形成装置は、原稿を読み取って第１の画像データを生成する画像読取部と、ジョブ・チケットを受信する受信部と、画像読取部によって生成された第１の画像データに対応する第２の画像データを含むジョブ・チケットを検索する検索部と、検索部によって対応付けられたジョブ・チケットに含まれる設定値に従って、対応する第１の画像データについての処理を実行する処理実行部とを含む。検索部は、画像読取部が原稿を１枚読み取るたびにジョブ・チケットの検索処理を実行するとともに、新たなジョブ・チケットが検索された場合には、画像読取部によって生成された第１の画像データを処理するための設定値を、当該新たに検索されたジョブ・チケットに含まれる設定値に更新する。
本発明のさらに別の局面に従えば、携帯端末から遠隔操作可能な画像形成装置で実行されるプログラムが提供される。プログラムは、画像形成装置を、原稿を読み取って第１の画像データを生成する画像読取部と、ユーザーによる携帯端末の操作によって設定される画像形成装置における原稿に対する処理に係る設定値と、対応する原稿の少なくとも一部を示す第２の画像データとを含む、ジョブ・チケットを受信する受信部と、画像読取部によって生成された第１の画像データに対応する第２の画像データを含むジョブ・チケットを検索する検索部と、検索部によって対応付けられたジョブ・チケットに含まれる設定値に従って、対応する第１の画像データについての処理を実行する処理実行部として機能させる。携帯端末は、撮像手段を有しており、第２の画像データは、ユーザーが携帯端末の手段を用いて、当該ユーザーが処理しようとする原稿を撮像することで得られるものである。
本発明のさらに別の局面に従えば、携帯端末から遠隔操作可能な画像形成装置で実行されるプログラムが提供される。プログラムは、画像形成装置を、原稿を読み取って第１の画像データを生成する画像読取部と、ユーザーによる携帯端末の操作によって設定される画像形成装置における原稿に対する処理に係る設定値と、対応する原稿の少なくとも一部を示す第２の画像データとを含む、ジョブ・チケットを受信する受信部と、画像読取部によって生成された第１の画像データに対応する第２の画像データを含むジョブ・チケットを検索する検索部と、検索部によって対応付けられたジョブ・チケットに含まれる設定値に従って、対応する第１の画像データについての処理を実行する処理実行部として機能させる。検索部は、画像読取部が原稿を１枚読み取るたびにジョブ・チケットの検索処理を実行するとともに、新たなジョブ・チケットが検索された場合には、画像読取部によって生成された第１の画像データを処理するための設定値を、当該新たに検索されたジョブ・チケットに含まれる設定値に更新する。 
【発明の効果】
【００１９】
本発明によれば、複数の携帯端末からの遠隔操作をより実用的に行なうことができる。
【図面の簡単な説明】
【００２０】
【図１】本発明に関連する技術における課題を説明するための概略図である。
【図２】本発明の実施の形態に従う解決手段を説明するための概略図である。
【図３】本実施の形態に従う画像形成装置の概略断面図である。
【図４】図３に示す画像形成装置のシステムコントローラーの構成を示す模式図である。
【図５】本実施の形態に従う携帯端末の機能ブロック図である。
【図６】実施の形態１に従う画像形成装置の機能構成を示す模式図である。
【図７】実施の形態１に従う携帯端末から画像形成装置へのＪＯＢ＿Ｔｉｃｋｅｔの送信に係る処理手順を示すシーケンス図である。
【図８】実施の形態１に従う携帯端末が提供するユーザーインターフェイスの一例を示す図である。
【図９】実施の形態１に従う画像形成装置における処理手順を示すフローチャートである。
【図１０】実施の形態２に従う画像形成装置の機能構成を示す模式図である。
【図１１】実施の形態２に従う携帯端末から画像形成装置へのＪＯＢ＿Ｔｉｃｋｅｔの送信に係る処理手順を示すシーケンス図である。
【図１２】実施の形態２に従う携帯端末が提供するユーザーインターフェイスの一例を示す図である。
【図１３】実施の形態２に従う画像形成装置における処理手順を示すフローチャートである。
【図１４】実施の形態３に従う画像形成装置の機能構成を示す模式図である。
【図１５】実施の形態３に従う携帯端末から画像形成装置へのＪＯＢ＿Ｔｉｃｋｅｔの送信に係る処理手順を示すシーケンス図である。
【図１６】実施の形態３に従う携帯端末が提供するユーザーインターフェイスの一例を示す図である。
【図１７】実施の形態３に従う画像形成装置における処理手順を示すフローチャートである。
【発明を実施するための形態】
【００２１】
本発明の実施の形態について、図面を参照しながら詳細に説明する。なお、図中の同一または相当部分については、同一符号を付してその説明は繰り返さない。
【００２２】
＜Ａ．課題および解決手段の概要＞
本発明の実施の形態に従う画像形成装置および当該画像形成装置を含む画像形成システムについて、関連技術における課題とともにその概要を説明する。
【００２３】
図１は、本発明に関連する技術における課題を説明するための概略図である。図２は、本発明の実施の形態に従う解決手段を説明するための概略図である。
【００２４】
図１および図２を参照して、画像形成システムは、画像形成装置１００と複数の携帯端末２００−１，２００−２，２００−３，…（以下「携帯端末２００」と総称することもある。）とを含む。画像形成装置１００は、複数の携帯端末２００から遠隔操作可能であるとする。
【００２５】
遠隔操作可能な内容としては、典型的には、画像形成装置１００に搭載されている操作パネルを用いて操作できる内容と実質的に同一である。但し、本実施の形態においては、主として、画像形成装置１００にセットされる原稿に対する処理に係る設定操作に着目する。この原稿に対する処理としては、原稿の複写画像を形成するコピー処理や、原稿に示す画像をデータ化するスキャン処理を含む。なお、スキャン処理には、データ化らされた画像を指定された場所へ転送するような処理を含む。
【００２６】
本実施の形態においては、複数のユーザーが各ユーザーの保持する携帯端末２００を用いて画像形成装置１００を遠隔操作する場合を考える。図１には、３名のユーザー（ユーザーＡ，ユーザーＢ，ユーザーＣ）がそれぞれ携帯端末２００−１，２００−２，２００−３を用いて画像形成装置１００を遠隔操作する場合の例を示す。このとき、各ユーザーは、処理対象の原稿をそれぞれ画像形成装置１００にセットすることになる。図１の例では、読み取り順の早い方から、ユーザーＡの原稿、ユーザーＢの原稿、ユーザーＣの原稿とセットされているとする。
【００２７】
各ユーザーは、画像形成装置１００への原稿のセット後、自身が保持する携帯端末２００を操作して、画像形成装置１００における自身の原稿に対する処理に係る設定値を入力する。この設定値としては、コピー処理やスキャン処理に係るものが含まれ、典型的には、解像度設定情報、印字枚数設定情報、画像調整系設定情報、スキャン宛先等を含む。そして、この設定値を含む情報をＪＯＢ＿Ｔｉｃｋｅｔとして、画像形成装置１００へ送信する。画像形成装置１００は、ＪＯＢ＿Ｔｉｃｋｅｔを受信すると、受信したＪＯＢ＿Ｔｉｃｋｅｔに含まれる設定値に従って、セットされた原稿についての処理を開始する。
【００２８】
ここで、ＪＯＢ＿Ｔｉｃｋｅｔが原稿に対する処理に係る設定値のみを含む場合には、以下のような課題が生じ得る。すなわち、画像形成装置１００にセットされたそれぞれのユーザーの原稿と、受信されるＪＯＢ＿Ｔｉｃｋｅｔとが何ら対応付けられていないので、ＪＯＢ＿Ｔｉｃｋｅｔの受信順序がセットされた原稿の順序と一致しない場合には、ユーザーが指定した処理が行なわれないことになる。
【００２９】
例えば、図１には、ユーザーＣが１番目にＪＯＢ＿Ｔｉｃｋｅｔを送信し、ユーザーＡが２番目にＪＯＢ＿Ｔｉｃｋｅｔを送信する例を示す。この場合には、ユーザーＣからのＪＯＢ＿Ｔｉｃｋｅｔに含まれる設定値に従って、ユーザーＡの原稿が処理されることになる。
【００３０】
本発明の実施の形態においては、このような課題を解決するために、以下のような解決手段を採用する。
【００３１】
図２に示すように、本実施の形態においては、携帯端末２００から画像形成装置１００へ送信されるＪＯＢ＿Ｔｉｃｋｅｔは、ユーザーによる携帯端末２００の操作によって設定される画像形成装置１００における原稿に対する処理に係る設定値に加えて、対応する原稿の少なくとも一部を示す画像データ（原稿写真画像）を含む。
【００３２】
画像形成装置１００は、携帯端末２００にてコピー処理やスキャン処理等の設定が可能である。各携帯端末２００から画像形成装置１００へユーザーが設定した情報を送信する際に、当該ユーザーの原稿の少なくとも一部を撮像手段（カメラ）等を用いて撮像することで得られた原稿写真画像（カメラ撮像画像）が併せて送信される。この原稿写真画像（カメラ撮像画像）は、典型的には、原稿の先頭ページ（表紙）の画像を含む。さらに、原稿写真画像は、原稿の最終ページの画像を含んでいてもよい。
【００３３】
このように、原稿を撮像した原稿写真画像を設定値とともに送信することで、画像形成装置１００の自動原稿送り装置に搭載された各ユーザーの原稿に対応する設定値を容易に検索することができ、これによって、原稿と対応する設定値との間に一対一の対応関係を決定することができる。
【００３４】
このように、本発明の実施の形態によれば、共通の画像形成装置１００において複数のユーザーの原稿が自動原稿送り装置に順不同に積み上げられ、かつ複数の携帯端末２００から順不同にＪＯＢ＿Ｔｉｃｋｅｔが送付される場合であっても、ＪＯＢ＿Ｔｉｃｋｅｔに対応する原稿の少なくとも一部を示す画像データ（原稿写真画像）を添付することで、セットされた原稿とＪＯＢ＿Ｔｉｃｋｅｔとの対応付けを自動的に行なう。これにより、複数の携帯端末２００を用いた遠隔操作であっても、その待ち時間をなくしてより有効に活用できる。すなわち、携帯端末２００を用いた画像形成装置１００の遠隔操作の機能をより実用的にできる。
【００３５】
＜Ｂ．装置構成＞
（ｂ１：画像形成装置１００）
まず、本実施の形態に従う画像形成装置１００の構成について説明する。
【００３６】
図３は、本実施の形態に従う画像形成装置１００の概略断面図である。図４は、図３に示す画像形成装置１００のシステムコントローラー６の構成を示す模式図である。後述する実施の形態１〜３においては、それらを互いに区別するため、それぞれを「画像形成装置１００」、「画像形成装置１００Ａ」、「画像形成装置１００Ｂ」と記載するが、基本的な装置構成については実質的に同一であるため、以下では「画像形成装置１００」について例示的に説明する。
【００３７】
図３を参照して、画像形成装置１００は、自動原稿送り装置２と、イメージスキャナー３と、プリントエンジン４と、給紙部５と、システムコントローラー６とを含む。
【００３８】
自動原稿送り装置２は、原稿の連続的なスキャンを行なうためのものであり、原稿給紙台２１と、送出ローラー２２と、レジストローラー２３と、搬送ドラム２４と、排紙台２５とを含む。スキャン対象の原稿は、原稿給紙台２１上にセットされ、送出ローラー２２の作動により一枚ずつ送り出される。そして、この送り出された原稿は、レジストローラー２３により一旦停止されて先端が整えられた後に、搬送ドラム２４へ搬送される。さらに、この原稿は、搬送ドラム２４のドラム面と一体に回転し、その過程において後述するイメージスキャナー３により画像面がスキャンされる。その後、原稿は、搬送ドラム２４のドラム面を略半周した位置においてドラム面から分離されて排紙台２５へ排出される。
【００３９】
イメージスキャナー３は、撮像デバイス３３と、原稿台３５とを含む。撮像デバイス３３は、被写体である原稿に対する相対位置を時間的に変化させて、原稿の画像を読み取って画像データ（以下「スキャン画像」とも称す。）を生成する。撮像デバイス３３は、主要な構成要素として、原稿に対して光を照射する光源と、光源から照射された光が原稿で反射して生じる画像を取得するイメージセンサーと、イメージセンサーから画像信号を出力するためのＡＤ（Analog to Digital：アナログデジタル）変換器と、イメージセンサーの前段に配置された結像光学系とを含む。イメージセンサーとしては、典型的には、ＣＣＤ（Coupled Charged Device）イメージセンサーや、密着イメージセンサー（Contact Image Sensor）が用いられる。なお、スキャン対象の原稿は、原稿台３５にセットされることもできる。すなわち、イメージスキャナー３は、原稿を読み取ってスキャン画像を生成する画像読取部である。
【００４０】
プリントエンジン４は、一例として、電子写真方式の画像形成プロセスが実行される。具体的には、フルカラーのプリント出力が可能である。具体的には、プリントエンジン４は、それぞれイエロー（Ｙ）、マゼンタ（Ｍ）、シアン（Ｃ）、ブラック（Ｋ）の各色のトナー像を生成するイメージング（作像）ユニット４４Ｙ，４４Ｍ，４４Ｃ，４４Ｋを含む。イメージングユニット４４Ｙ，４４Ｍ，４４Ｃ，４４Ｋは、プリントエンジン４内に張架されて駆動される転写ベルト２７に沿って、その順序に配置される。
【００４１】
イメージングユニット４４Ｙ，４４Ｍ，４４Ｃ，４４Ｋは、それぞれ画像書込部４３Ｙ，４３Ｍ，４３Ｃ，４３Ｋと、感光体ドラム４１Ｙ，４１Ｍ，４１Ｃ，４１Ｋとを含む。画像書込部４３Ｙ，４３Ｍ，４３Ｃ，４３Ｋの各々は、対象のプリントデータに含まれる各色イメージに応じたレーザ光を発するレーザダイオードと、このレーザ光を偏向して対応の感光体ドラム４１Ｙ，４１Ｍ，４１Ｃ，４１Ｋの表面を主走査方向に露光させるポリゴンミラーとを含んでいる。
【００４２】
感光体ドラム４１Ｙ，４１Ｍ，４１Ｃ，４１Ｋの表面には、上述のような画像書込部４３Ｙ，４３Ｍ，４３Ｃ，４３Ｋによる露光によって静電潜像が形成され、この静電潜像がそれぞれ対応するトナーユニット４４１Ｙ，４４１Ｍ，４４１Ｃ，４４１Ｋから供給されるトナー粒子によってトナー像として現像される。
【００４３】
感光体ドラム４１Ｙ，４１Ｍ，４１Ｃ，４１Ｋの表面に現像された各色のトナー像は、転写ベルト２７に順次転送される。さらに、この転写ベルト２７上に重ねられたトナー像は、給紙部５からタイミングを合わせて供給される記録紙にさらに転写される。
【００４４】
この記録紙上に転写されたトナー像は、下流部に配置された定着部において定着された後、トレイ５７に排出される。
【００４５】
上述の感光体ドラム４１Ｙ，４１Ｍ，４１Ｃ，４１Ｋにおける動作と並行して、記録紙を収容する給紙部５の給紙カセットにそれぞれ対応する送出ローラー５２，５３，５４および手差給紙部２６のうち、画像形成に用いられるべき記録紙に対応する部位が作動して記録紙を供給する。この供給された記録紙は、搬送ローラー５５および５６ならびにタイミングローラー５１によって搬送され、感光体ドラム４１上に形成されたトナー像に同期するように、感光体ドラム４１に給紙される。
【００４６】
転写器４５は、感光体ドラム４１に反対極性の電圧を印加することで、感光体ドラム４１上に形成されたトナー像を記録紙に転写する。そして、除電器４６は、トナー像が転写された記録紙を除電することで、記録紙を感光体ドラム４１から分離させる。その後、トナー像が転写された記録紙は定着装置４７へ搬送される。なお、転写器４５としては、図１に示すような転写ベルトを用いた転写方式に代えて、転写チャージャーまたは転写ローラーを用いた転写方式を採用してもよい。あるいは、感光体ドラム４１から記録紙へトナー像を直接転写する直接転写方式に代えて、感光体ドラム４１と記録紙との間に、転写ローラー、転写ベルトといった中間転写体を配置して、２段階以上のプロセスによって転写を行なうようにしてもよい。
【００４７】
定着装置４７は、加熱ローラー４７１と加圧ローラー４７２とを含む。加熱ローラー４７１は、記録紙を加熱することで、その上に転写されたトナーを溶融するとともに、加熱ローラー４７１と加圧ローラー４７２との間の圧縮力により、溶融したトナーが記録紙上に定着される。そして、記録紙はトレイ５７に排出される。なお、定着装置４７としては、図１に示すような定着ベルトを用いた定着方式に代えて、定着ローラー等用いた定着方式、もしくは非接触の定着方式を採用してもよい。
【００４８】
一方、記録紙が分離された感光体ドラム４１では、その残留電位が除去された後、クリーニング部４８によって残留トナーが除去および清掃される。そして、次の画像形成処理が実行される。クリーニング部４８は、一例として、クリーニングブレード、クリーニングブラシ、クリーニングローラー、またはこれらの組み合わせにより、残留トナーを除去および清掃する。あるいは、クリーニング部４８に代えて、感光体ドラム４１Ｙ，４１Ｍ，４１Ｃ，４１Ｋを用いて残留トナーを回収するクリーナーレス方式を採用してもよい。
【００４９】
ＩＤＣセンサー４９は、感光体ドラム４１上に形成されるトナー像の濃度を検出する。このＩＤＣセンサー４９は、代表的に反射型フォトセンサからなる光強度センサーであり、感光体ドラム４１の表面からの反射光強度を検出する。
【００５０】
システムコントローラー６は、画像形成装置１００における全体の制御を司る。
図４を参照して、システムコントローラー６は、主たる構成要素として、制御手段としてのＣＰＵ（Central Processing Unit）６０と、ＲＡＭ（Random Access Memory）６１と、ＲＯＭ（Read Only Memory）６２と、入力インターフェイス（Ｉ／Ｆ）６３と、出力インターフェイス（Ｉ／Ｆ）６４と、通信インターフェイス（Ｉ／Ｆ）６５と、ネットワークインターフェイス（Ｉ／Ｆ）６６とを含む。これらの各部は、バス６７を介して互いに通信可能に接続されている。
【００５１】
ＣＰＵ６０は、ＲＯＭ６２に予め格納されているプログラムを読み出して実行することで、後述するような各種動作を実行する。ＲＡＭ６１は、揮発性のメモリーであって、ＣＰＵ６０におけるプログラム実行時のワークエリアとして用いられる。
【００５２】
入力インターフェイス６３は、図示しない操作パネル等に配置されている操作キー群からのユーザー入力を受け付ける。出力インターフェイス６４は、典型的には、ＣＰＵ６０からの内部コマンドに従って、各種の内部コマンドを発生する。通信インターフェイス６５は、携帯端末２００等との間で各種データを遣り取りする。ネットワークインターフェイス６６は、図示しないパーソナルコンピューター等との間で各種データを遣り取りする。
【００５３】
（ｂ２：携帯端末２００）
次に、本実施の形態に従う携帯端末２００の構成について説明する。
【００５４】
図５は、本実施の形態に従う携帯端末２００の機能ブロック図である。後述する実施の形態１〜３においては、それらを互いに区別するため、それぞれを「携帯端末２００」、「携帯端末２００Ａ」、「携帯端末２００Ｂ」と記載するが、基本的な装置構成については実質的に同一であるため、以下では「携帯端末２００」について例示的に説明する。
【００５５】
図５を参照して、携帯端末２００は、ＣＰＵ（Central Processing Unit）２０１と、ＲＡＭ（Random Access Memory）２０２と、フラッシュメモリー２０３と、入力部２０４と、タッチパネル２０５と、カメラ２０６と、ネットワークインターフェイス（Ｉ／Ｆ）２０７と、通信インターフェイス（Ｉ／Ｆ）２０８とを含む。これらの各部は、バス２０９を介して互いに通信可能に接続されている。
【００５６】
ＣＰＵ２０１は、オペレーティングシステムを含む各種プログラムを実行する制御手段である。より具体的には、ＣＰＵ２０１は、フラッシュメモリー２０３に格納された操作パネルアプリケーション２１０を含む各種プログラムを実行することで、後述するような機能を提供する。ＲＡＭ２０２は、揮発性のメモリーであって、ＣＰＵ２０１におけるプログラム実行時のワークエリアとして用いられる。フラッシュメモリー２０３は、不揮発性メモリーであって、オペレーティングシステムや操作パネルアプリケーション２１０を格納する。なお、フラッシュメモリー２０３に代えて、ハードディスクなどを採用することもできる。
【００５７】
入力部２０４は、ユーザーからの操作を受け付けるインターフェイスであり、典型的には、各種の操作キーを含む。なお、入力部２０４の機能は、後述するタッチパネル２０５によって代替されてもよい。
【００５８】
タッチパネル２０５は、液晶などの表示部およびユーザー操作を受け付ける入力部とが一体化したデバイスである。タッチパネル２０５は、ＣＰＵ２０１からの指令に従って画面表示を行なうとともに、ユーザーによるタッチ操作の情報をＣＰＵ２０１へ伝達する。
【００５９】
カメラ２０６は、ＣＣＤ（Coupled Charged Device）やＣＭＯＳ（Complementary Metal Oxide Semiconductor）センサーなどの撮像デバイスを含む撮像手段である。本実施の形態においては、典型的に、上述した原稿写真画像の生成に用いられる。
【００６０】
ネットワークインターフェイス２０７は、図示しないパーソナルコンピューターや他の携帯端末２００等との間で各種データを遣り取りする。
【００６１】
通信インターフェイス２０８は、画像形成装置１００等との間で各種データを遣り取りする。本実施の形態においては、主としてＪＯＢ＿Ｔｉｃｋｅｔの送信に用いられる。
【００６２】
＜Ｃ．実施の形態１＞
以下、本発明の実施の形態１に従う画像形成装置およびそれを含む画像形成システムについて説明する。
【００６３】
（ｃ１：概要）
実施の形態１においては、ＪＯＢ＿Ｔｉｃｋｅｔに、対応するユーザーが処理しようとする原稿の先頭ページの画像（以下「原稿表紙写真画像」とも称す。）を含む。そして、画像形成装置１００は、画像読取部であるイメージスキャナー３によって原稿が読み取られるたびに、当該読み取った原稿の内容を示す画像データであるスキャン画像に対応する原稿表紙写真画像を含むＪＯＢ＿Ｔｉｃｋｅｔを検索する。対象のスキャン画像に対応する原稿表紙写真画像を含むＪＯＢ＿Ｔｉｃｋｅｔが検索されると、対象のスキャン画像を含む以降生成されるスキャン画像について、当該検索されたＪＯＢ＿Ｔｉｃｋｅｔに含まれる設定値に従った処理を行なう。これに対して、対象のスキャン画像に対応する原稿表紙写真画像を含むＪＯＢ＿Ｔｉｃｋｅｔが検索されなければ、先に設定されている設定値に従って、生成されたスキャン画像についての処理を行なう。
【００６４】
すなわち、実施の形態１においては、原稿の先頭ページ（表紙）の画像のみがＪＯＢ＿Ｔｉｃｋｅｔに含まれるので、対象の原稿が複数枚からなる場合には、当該ＪＯＢ＿Ｔｉｃｋｅｔが対象とする原稿の最終ページを特定することができない。そこで、原稿の内容が読み取られるたびに、いずれかのＪＯＢ＿Ｔｉｃｋｅｔに含まれる原稿表紙写真画像と一致しているか否かを判断することで、新たなＪＯＢ＿Ｔｉｃｋｅｔが適用されるべきタイミングを検出する。言い換えれば、生成されたスキャン画像がいずれかのＪＯＢ＿Ｔｉｃｋｅｔに含まれる原稿表紙写真画像と一致しなければ、先に適用されているＪＯＢ＿Ｔｉｃｋｅｔに内容がそのまま維持されるものと判断して、処理を続行する。
【００６５】
（ｃ２：画像形成装置１００における機能構成）
次に、実施の形態１に従う画像形成装置１００における機能構成について説明する。
【００６６】
図６は、実施の形態１に従う画像形成装置１００の機能構成を示す模式図である。図６を参照して、画像形成装置１００は、その機能構成として、画像読取部１５２と、スキャン画像記憶部１５４と、ＪＯＢ＿Ｔｉｃｋｅｔ検索部１５６と、ＪＯＢ＿Ｔｉｃｋｅｔ受信部１５８と、ＪＯＢ＿Ｔｉｃｋｅｔ記憶部１６０と、設定部１６２と、画像形成部１６４とを含む。これらの機能構成は、典型的には、システムコントローラー６のＣＰＵ６０がプログラムを実行し、画像形成装置１００の構成要素へ指令を与えることなどによって実現される。これらの機能構成の一部または全部をハードウェアで実現してもよい。
【００６７】
画像読取部１５２は、イメージスキャナー３に対して指令を与えることで実現される。画像読取部１５２は、原稿５００を読み取って第１の画像データであるスキャン画像を生成する。なお、スキャン画像に対して、ＪＯＢ＿Ｔｉｃｋｅｔ４００に含まれる設定値に従った画像処理が行なわれて、最終的な画像が出力されるので、イメージスキャナー３によって読み取られた生信号であってもよい。実施の形態１においては、画像読取部１５２は、原稿５００の１枚毎にスキャン画像を生成する。
【００６８】
スキャン画像記憶部１５４は、画像読取部１５２によって読み取られたスキャン画像を格納する。
【００６９】
ＪＯＢ＿Ｔｉｃｋｅｔ受信部１５８は、携帯端末２００から送信されるＪＯＢ＿Ｔｉｃｋｅｔ４００を受信する。
【００７０】
ＪＯＢ＿Ｔｉｃｋｅｔ記憶部１６０は、ＪＯＢ＿Ｔｉｃｋｅｔ受信部１５８によって受信されたＪＯＢ＿Ｔｉｃｋｅｔ４００を格納する。ＪＯＢ＿Ｔｉｃｋｅｔ受信部１５８によって受信されるＪＯＢ＿Ｔｉｃｋｅｔ４００は、ユーザーによる携帯端末２００の操作によって設定される画像形成装置１００における原稿５００に対する処理に係る設定値と、対応する原稿５００の少なくとも一部を示す第２の画像データである原稿表紙写真画像とを含む。
【００７１】
ＪＯＢ＿Ｔｉｃｋｅｔ４００に含まれる設定値は、携帯端末２００の操作パネルアプリケーションによって設定される値を含む。この設定値は、コピー処理やスキャン処理に係るものを含み、典型的には、解像度設定情報、印字枚数設定情報、画像調整系設定情報、スキャン宛先等を含む。また、原稿表紙写真画像は、携帯端末２００に搭載された撮像手段であるカメラ２０６を用いて、ユーザーが、当該ユーザーが処理しようとする原稿５００を撮像することで得られるものである。原稿表紙写真画像は、典型的には、ユーザーが処理しようとする原稿５００の先頭ページの画像を含む。
【００７２】
ＪＯＢ＿Ｔｉｃｋｅｔ検索部１５６は、画像読取部１５２によって生成されたスキャン画像に対応する原稿表紙写真画像を含むＪＯＢ＿Ｔｉｃｋｅｔ４００を検索する。すなわち、ＪＯＢ＿Ｔｉｃｋｅｔ検索部１５６は、ＪＯＢ＿Ｔｉｃｋｅｔ記憶部１６０に格納されているＪＯＢ＿Ｔｉｃｋｅｔ４００に含まれる原稿表紙写真画像から対象のスキャン画像と一致する。
【００７３】
設定部１６２は、ＪＯＢ＿Ｔｉｃｋｅｔ検索部１５６によって検索されたＪＯＢ＿Ｔｉｃｋｅｔ４００に含まれる設定値を画像形成部１６４へ出力する。
【００７４】
画像形成部１６４は、ＪＯＢ＿Ｔｉｃｋｅｔ検索部１５６によって対応付けられたＪＯＢ＿Ｔｉｃｋｅｔ４００に含まれる設定値に従って、対応するスキャン画像についての処理を実行する。すなわち、画像形成部１６４は、原稿読取部１５２によって読み取られたスキャン画像に対して、ユーザーが操作パネルアプリケーションによって設定した画像処理（色変換や画像補正等）を実行するとともに、設定した枚数のプリントまたは設定した宛先へのスキャン等を実行する。画像形成部１６４によって生成された画像が出力される。
【００７５】
（ｃ３：ＪＯＢ＿Ｔｉｃｋｅｔ送信に係る処理手順）
次に、実施の形態１に従う携帯端末２００から画像形成装置１００へのＪＯＢ＿Ｔｉｃｋｅｔの送信に係る処理手順について説明する。
【００７６】
図７は、実施の形態１に従う携帯端末２００から画像形成装置１００へのＪＯＢ＿Ｔｉｃｋｅｔの送信に係る処理手順を示すシーケンス図である。図８は、実施の形態１に従う携帯端末２００が提供するユーザーインターフェイスの一例を示す図である。
【００７７】
図７を参照して、ユーザーが携帯端末２００に対してユーザー操作を行なう（ステップＳ２）と、携帯端末２００において操作パネルアプリケーション２１０が起動する（ステップＳ４）。まず、操作パネルアプリケーション２１０は、ユーザーに対して、カメラ２０６を用いて原稿の先頭ページ（表紙）を撮像するように促す（ステップＳ６）。このときのユーザーインターフェイスの一例を図８（Ａ）に示す。このユーザーインターフェイス画面３００は、「コピー／スキャンする原稿の表紙を撮像して下さい。」といった撮像を促すメッセージ３０１とともに、撮像を開始するボタン３０２を含む。
【００７８】
このユーザーインターフェイス画面３００に応答して、ユーザーが原稿の表紙を撮像する（ステップＳ８）。より具体的には、ユーザーがボタン３０２を選択することで、カメラ２０６が有効化され、ユーザーは原稿の表紙がその視野範囲に含まれるように調整することで、原稿の表紙を示す原稿表紙写真画像が生成される。
【００７９】
原稿の撮像が完了すると、操作パネルアプリケーション２１０は、ユーザーに対して、設定値の入力を促す（ステップＳ１０）。このときのユーザーインターフェイスの一例を図８（Ｂ）に示す。このユーザーインターフェイス画面３１０は、解像度設定情報を入力する入力ボックス３１１と、画像調整系設定情報を入力する入力ボックス３１２、印字枚数設定情報を入力する入力ボックス３１３と、スキャン宛先を入力する入力ボックス３１４とを含む。ユーザーは、ユーザーインターフェイス画面３１０上で所望する設定値を入力し（ステップＳ１２）、入力完了を示すボタン３１５（ＯＫボタン）を選択すると、入力が完了する。
【００８０】
設定値の入力が完了すると、操作パネルアプリケーション２１０は、ユーザーに対して、原稿の画像形成装置１００へのセットを促す（ステップＳ１４）。ユーザーは、ステップＳ１２の実行後、いずれも原稿を画像形成装置１００の自動原稿送り装置上にセットすることができる。このときのユーザーインターフェイスの一例を図８（Ｃ）に示す。ユーザーインターフェイス画面３２０は、「ＪＯＢ＿Ｔｉｃｋｅｔを送信します。ＭＦＰの上に原稿をセットして下さい。」といった撮像を促すメッセージ３２１とともに、原稿のセットの完了を通知するボタン３２２を含む。ユーザーは、画像形成装置１００の自動原稿送り装置上に原稿をセットし（ステップＳ１６）、入力完了を示すボタン３１５（ＯＫボタン）を選択する（ユーザー確認）（ステップＳ１８）。このボタン３１５は、携帯端末２００から画像形成装置１００へのＪＯＢ＿Ｔｉｃｋｅｔの送信を指示するボタンに相当する。このように、携帯端末２００には、原稿が画像形成装置１００にセットできていることを確認するための画面を表示し、ユーザーが原稿を既にセットしていることを確認するボタン３１５を選択すると、ここではじめてＪＯＢ＿Ｔｉｃｋｅｔの画像形成装置１００への送信が開始される（ステップＳ２０）。
【００８１】
続いて、画像形成装置１００のシステムコントローラー６は、携帯端末２００からＪＯＢ＿Ｔｉｃｋｅｔを受信すると、既に格納されているＪＯＢ＿Ｔｉｃｋｅｔの数を確認する（ステップＳ２２）。既に格納されているＪＯＢ＿Ｔｉｃｋｅｔが所定数を超えている場合（ステップＳ２２においてＹＥＳの場合）には、システムコントローラー６は、受信したＪＯＢ＿Ｔｉｃｋｅｔを送信した携帯端末２００に対して、「しばらく待ってから送信ください」というメッセージを送信する（ステップＳ２４）。このメッセージは、携帯端末２００を介してユーザーへ通知される。
【００８２】
これに対して、既に格納されているＪＯＢ＿Ｔｉｃｋｅｔが所定数以内である場合（ステップＳ２２においてＮＯの場合）には、システムコントローラー６は、受信したＪＯＢ＿Ｔｉｃｋｅｔを格納する（ステップＳ２６）。
【００８３】
（ｃ４：画像形成装置１００側の処理手順）
次に、実施の形態１に従う画像形成装置１００における処理手順について説明する。
【００８４】
図９は、実施の形態１に従う画像形成装置１００における処理手順を示すフローチャートである。図９に示す各ステップは、画像形成装置１００のシステムコントローラー６がプログラムを実行することによって実現される。
【００８５】
図９を参照して、まず、システムコントローラー６は、自動原稿送り装置上に原稿がセットされているか否かを判断する（ステップＳ１００）。自動原稿送り装置上に原稿がセットされていない場合（ステップＳ１００においてＮＯの場合）には、処理は終了する。
【００８６】
自動原稿送り装置上に原稿がセットされている場合（ステップＳ１００においてＹＥＳの場合）には、システムコントローラー６は、何らかのＪＯＢ＿Ｔｉｃｋｅｔが格納されているか否かを判断する（ステップＳ１０２）。何らのＪＯＢ＿Ｔｉｃｋｅｔも格納されていない場合（ステップＳ１０２においてＮＯの場合）には、ステップＳ１０２の処理が繰り返される。
【００８７】
何らかのＪＯＢ＿Ｔｉｃｋｅｔが格納されている場合（ステップＳ１０２においてＹＥＳの場合）には、システムコントローラー６は、イメージスキャナー３に対して起動指令を与え、自動原稿送り装置上にセットされている原稿を１枚だけスキャンさせる（ステップＳ１０４）。すなわち、画像読取部１５２が原稿を読み取ってスキャン画像を生成する。システムコントローラー６（スキャン画像記憶部１５４）は、読み取られたスキャン画像を格納する（ステップＳ１０６）。システムコントローラー６は、原稿１枚のスキャンが完了した時点で、イメージスキャナー３に対して起動指令を与えて、スキャン動作を一旦停止させる（ステップＳ１０８）。
【００８８】
続いて、システムコントローラー６（ＪＯＢ＿Ｔｉｃｋｅｔ検索部１５６）は、スキャン画像記憶部１５４に格納されているスキャン画像に対応する原稿表紙写真画像を含むＪＯＢ＿Ｔｉｃｋｅｔを検索する（ステップＳ１１０）。この検索処理において、スキャン画像に対して各種の画像変換処理を行なってもよい。また、イメージスキャナー３によって読み取られた画像と携帯端末２００のカメラ２０６によって撮像された画像とは完全に一致しないので、各種の画像マッチング処理を用いて、スキャン画像と原稿表紙写真画像とを対応付けてもよい。すなわち、ＪＯＢ＿Ｔｉｃｋｅｔ検索部１５６は、スキャン画像記憶部１５４に記憶されたスキャン画像と、ＪＯＢ＿Ｔｉｃｋｅｔ記憶部１６０に記憶されている複数のＪＯＢ＿Ｔｉｃｋｅｔに含まれている原稿表紙写真画像とを比較し、一致するものを検索する。
【００８９】
システムコントローラー６（ＪＯＢ＿Ｔｉｃｋｅｔ検索部１５６）は、スキャン画像記憶部１５４に格納されているスキャン画像に対応する原稿表紙写真画像を含むＪＯＢ＿Ｔｉｃｋｅｔが検索できたか否かを判断する（ステップＳ１１２）。スキャン画像記憶部１５４に格納されているスキャン画像に対応する原稿表紙写真画像を含むＪＯＢ＿Ｔｉｃｋｅｔが検索できた場合（ステップＳ１１２においてＹＥＳの場合）には、システムコントローラー６（設定部１６２）は、検索されたＪＯＢ＿Ｔｉｃｋｅｔに含まれる設定値を設定する（ステップＳ１１４）。すなわち、画像形成部１６４に対して、選択されたＪＯＢ＿Ｔｉｃｋｅｔに含まれる設定値がセットされる。このとき、直前に選択されていたＪＯＢ＿Ｔｉｃｋｅｔについては、ＪＯＢ＿Ｔｉｃｋｅｔ記憶部１６０から削除されてもよい。すなわち、システムコントローラー６（ＪＯＢ＿Ｔｉｃｋｅｔ検索部１５６）は、新たなＪＯＢ＿Ｔｉｃｋｅｔが検索された場合には、直前に検索したＪＯＢ＿Ｔｉｃｋｅｔを削除する。
【００９０】
これに対して、スキャン画像記憶部１５４に格納されているスキャン画像に対応する原稿表紙写真画像を含むＪＯＢ＿Ｔｉｃｋｅｔが検索できなかった場合（ステップＳ１１２においてＮＯの場合）には、ステップＳ１１２の処理がスキップされて、ステップＳ１１６へ進む。すなわち、既にセットされている設定値がそのまま維持される。
【００９１】
続いて、システムコントローラー６（画像形成部１６４）は、選択されたＪＯＢ＿Ｔｉｃｋｅｔに含まれる設定値に従って、対象のスキャン画像についての処理を実行し、出力画像を生成する（ステップＳ１１６）。
【００９２】
その後、システムコントローラー６は、自動原稿送り装置上に原稿がセットされているか否かを判断する（ステップＳ１１８）。自動原稿送り装置上に原稿がセットされていない場合（ステップＳ１１８においてＮＯの場合）には、処理は終了する。これに対して、自動原稿送り装置上に原稿がセットされている場合（ステップＳ１１８においてＹＥＳの場合）には、ステップＳ１０４以下の処理が繰り返される。
【００９３】
上述のような処理によって、ＪＯＢ＿Ｔｉｃｋｅｔの検索処理において、スキャン画像に対応する別のＪＯＢ＿Ｔｉｃｋｅｔが検索された場合には、当該新規に検索された別のＪＯＢ＿Ｔｉｃｋｅｔに含まれる設定値に従ってスキャン画像に対する処理が実行される。これに対して、スキャン画像に対応するＪＯＢ＿Ｔｉｃｋｅｔが検索されなかった場合には、当該スキャン画像は原稿の２枚目以降に対応するものであると推定し、先に設定されている設定値をそのまま維持して処理を継続する。
【００９４】
上述の一連の処理は、格納されているＪＯＢ＿Ｔｉｃｋｅｔおよび自動原稿送り装置上にセットされた原稿がなくなるまで繰り返される。
【００９５】
このように、実施の形態１においては、ＪＯＢ＿Ｔｉｃｋｅｔ検索部１５６は、画像読取部１５２が原稿を１枚読み取るたびにＪＯＢ＿Ｔｉｃｋｅｔの検索処理を実行するとともに、新たなＪＯＢ＿Ｔｉｃｋｅｔが検索された場合には、当該新たに検索されたＪＯＢ＿Ｔｉｃｋｅｔに含まれる設定値に更新する。
【００９６】
（ｃ５：利点）
実施の形態１によれば、複数の携帯端末２００を用いた遠隔操作であっても、その待ち時間をなくしてより有効に活用できる。これにより、携帯端末２００を用いた画像形成装置１００の遠隔操作の機能をより実用的にできる。
【００９７】
＜Ｄ．実施の形態２＞
以下、本発明の実施の形態２に従う画像形成装置およびそれを含む画像形成システムについて説明する。
【００９８】
（ｄ１：概要）
上述の実施の形態１においては、別のＪＯＢ＿Ｔｉｃｋｅｔに含まれる原稿表紙写真画像と一致するスキャン画像が取得されるまで先に選択されたＪＯＢ＿Ｔｉｃｋｅｔに含まれる設定値が有効化される。これに対して、実施の形態２においては、ＪＯＢ＿Ｔｉｃｋｅｔに、対応するユーザーが処理しようとする原稿の先頭ページの画像（原稿表紙写真画像）、および、対応するユーザーが処理しようとする原稿の最終ページの画像（以下「原稿最終写真画像」とも称す。）を含む。そして、実施の形態２に従う画像形成装置１００Ａは、画像読取部であるイメージスキャナー３によって、いずれかの原稿表紙写真画像と一致する原稿が読み取られと、対応する原稿最終写真画像がイメージスキャナー３によって読み取られるまで、一連のＪＯＢであるとして処理する。すなわち、いずれかの原稿表紙写真画像と一致するスキャン画像が取得されると、対応する原稿最終写真画像と一致するスキャン画像が取得されるまでの一連のスキャン画像について、対応するＪＯＢ＿Ｔｉｃｋｅｔに含まれる設定値に従って処理を行なう。
【００９９】
すなわち、実施の形態２においては、ＪＯＢ＿Ｔｉｃｋｅｔが原稿の先頭ページ（表紙）の画像および原稿の最終ページの画像を含むので、当該ＪＯＢ＿Ｔｉｃｋｅｔに対応する原稿の開始位置から終了位置までをこれらの画像を用いて特定する。このようにして、対象のＪＯＢ＿Ｔｉｃｋｅｔが適用されるべき範囲を検出する。
【０１００】
（ｄ２：画像形成装置１００Ａにおける機能構成）
次に、実施の形態２に従う画像形成装置１００Ａにおける機能構成について説明する。
【０１０１】
図１０は、実施の形態２に従う画像形成装置１００Ａの機能構成を示す模式図である。図１０を参照して、実施の形態２に従う画像形成装置１００Ａは、実施の形態１に従う画像形成装置１００に比較して、最終ページ画像比較部１６６が付加されている点、および、ＪＯＢ＿Ｔｉｃｋｅｔ４００Ａが設定値および原稿表紙写真画像に加えて、原稿最終写真画像を含む点が異なっている。
【０１０２】
より詳細には、画像形成装置１００Ａは、その機能構成として、画像読取部１５２と、スキャン画像記憶部１５４と、ＪＯＢ＿Ｔｉｃｋｅｔ検索部１５６と、ＪＯＢ＿Ｔｉｃｋｅｔ受信部１５８と、ＪＯＢ＿Ｔｉｃｋｅｔ記憶部１６０と、設定部１６２と、画像形成部１６４と、最終ページ画像比較部１６６とを含む。これらの機能構成は、典型的には、システムコントローラー６のＣＰＵ６０がプログラムを実行し、画像形成装置１００Ａの構成要素へ指令を与えることなどによって実現される。これらの機能構成の一部または全部をハードウェアで実現してもよい。
【０１０３】
画像読取部１５２は、イメージスキャナー３に対して指令を与えることで実現される。画像読取部１５２は、原稿５００を読み取って第１の画像データであるスキャン画像を生成する。なお、スキャン画像に対して、ＪＯＢ＿Ｔｉｃｋｅｔ４００Ａに含まれる設定値に従った画像処理が行なわれて、最終的な画像が出力されるので、イメージスキャナー３によって読み取られた生信号であってもよい。実施の形態２においては、画像読取部１５２は、原稿５００の１枚毎にスキャン画像を生成する。
【０１０４】
スキャン画像記憶部１５４は、画像読取部１５２によって読み取られたスキャン画像を格納する。
【０１０５】
ＪＯＢ＿Ｔｉｃｋｅｔ受信部１５８は、携帯端末２００Ａから送信されるＪＯＢ＿Ｔｉｃｋｅｔ４００Ａを受信する。
【０１０６】
ＪＯＢ＿Ｔｉｃｋｅｔ記憶部１６０は、ＪＯＢ＿Ｔｉｃｋｅｔ受信部１５８によって受信されたＪＯＢ＿Ｔｉｃｋｅｔ４００Ａを格納する。ＪＯＢ＿Ｔｉｃｋｅｔ受信部１５８によって受信されるＪＯＢ＿Ｔｉｃｋｅｔ４００Ａは、ユーザーによる携帯端末２００Ａの操作によって設定される画像形成装置１００Ａにおける原稿５００に対する処理に係る設定値と、対応する原稿５００の少なくとも一部を示す第２の画像データである原稿表紙写真画像とを含む。
【０１０７】
ＪＯＢ＿Ｔｉｃｋｅｔ４００Ａに含まれる設定値は、携帯端末２００Ａの操作パネルアプリケーションによって設定される値を含む。この設定値は、コピー処理やスキャン処理に係るものを含み、典型的には、解像度設定情報、印字枚数設定情報、画像調整系設定情報、スキャン宛先等を含む。また、原稿表紙写真画像は、携帯端末２００Ａに搭載された撮像手段であるカメラ２０６を用いて、ユーザーが、当該ユーザーが処理しようとする原稿５００を撮像することで得られるものである。原稿表紙写真画像は、典型的には、ユーザーが処理しようとする原稿５００の先頭ページの画像（原稿表紙写真画像）、および、ユーザーが処理しようとする原稿５００の最終ページの画像（原稿最終写真画像）を含む。
【０１０８】
ＪＯＢ＿Ｔｉｃｋｅｔ検索部１５６は、画像読取部１５２によって生成されたスキャン画像に対応する原稿表紙写真画像を含むＪＯＢ＿Ｔｉｃｋｅｔ４００Ａを検索する。すなわち、ＪＯＢ＿Ｔｉｃｋｅｔ検索部１５６は、ＪＯＢ＿Ｔｉｃｋｅｔ記憶部１６０に格納されているＪＯＢ＿Ｔｉｃｋｅｔ４００Ａに含まれる原稿表紙写真画像から対象のスキャン画像と一致するものを検索する。
【０１０９】
設定部１６２は、ＪＯＢ＿Ｔｉｃｋｅｔ検索部１５６によって検索されたＪＯＢ＿Ｔｉｃｋｅｔ４００Ａに含まれる設定値を画像形成部１６４へ出力する。
【０１１０】
画像形成部１６４は、ＪＯＢ＿Ｔｉｃｋｅｔ検索部１５６によって対応付けられたＪＯＢ＿Ｔｉｃｋｅｔ４００Ａに含まれる設定値に従って、対応するスキャン画像についての処理を実行する。すなわち、画像形成部１６４は、原稿読取部１５２によって読み取られたスキャン画像に対して、ユーザーが操作パネルアプリケーションによって設定した画像処理（色変換や画像補正等）を実行するとともに、設定した枚数のプリントまたは設定した宛先へのスキャン等を実行する。画像形成部１６４によって生成された画像が出力される。
【０１１１】
最終ページ画像比較部１６６は、選択されたＪＯＢ＿Ｔｉｃｋｅｔ４００Ａに含まれる原稿最終写真とスキャン画像との一致を判断し、読み取られたスキャン画像が対象の原稿最終写真と一致した場合には、現在処理中のＪＯＢが終了したと判断し、次のＪＯＢへの遷移を指示する。
【０１１２】
（ｄ３：ＪＯＢ＿Ｔｉｃｋｅｔ送信に係る処理手順）
次に、実施の形態２に従う携帯端末２００Ａから画像形成装置１００ＡへのＪＯＢ＿Ｔｉｃｋｅｔの送信に係る処理手順について説明する。実施の形態２に従う携帯端末２００Ａから画像形成装置１００ＡへのＪＯＢ＿Ｔｉｃｋｅｔの送信に係る処理手順は、図７に示す実施の形態１に従うシーケンス図とほぼ同様である。但し、ＪＯＢ＿Ｔｉｃｋｅｔ４００Ａが原稿表紙写真画像および原稿最終写真画像を含むため、これらの両方の画像の撮像を支援するためのユーザーインターフェイス画面が提供される。
【０１１３】
図１１は、実施の形態２に従う携帯端末２００Ａから画像形成装置１００ＡへのＪＯＢ＿Ｔｉｃｋｅｔの送信に係る処理手順を示すシーケンス図である。図１２は、実施の形態２に従う携帯端末２００Ａが提供するユーザーインターフェイスの一例を示す図である。
【０１１４】
図１１を参照して、ユーザーが携帯端末２００Ａに対してユーザー操作を行なう（ステップＳ２）と、携帯端末２００Ａにおいて操作パネルアプリケーション２１０が起動する（ステップＳ４）。まず、操作パネルアプリケーション２１０は、ユーザーに対して、カメラ２０６を用いて原稿の先頭ページ（表紙）および原稿の最終ページ（表紙）を撮像するように促す（ステップＳ６）。このときのユーザーインターフェイスの一例を図１２（Ａ）に示す。このユーザーインターフェイス画面３００Ａは、「コピー／スキャンする原稿の表紙を撮像して下さい。」といった撮像を促すメッセージ３０１とともに、原稿の先頭ページ（表紙）の撮像を開始するボタン３０２を含む。さらに、ユーザーインターフェイス画面３００Ａは、「コピー／スキャンする原稿の最終ページを撮像して下さい。」といった撮像を促すメッセージ３０３とともに、原稿の最終ページの撮像を開始するボタン３０４を含む。
【０１１５】
このユーザーインターフェイス画面３００Ａに応答して、ユーザーは、原稿の表紙を撮像する（ステップＳ８Ａ）とともに、原稿の最終ページを撮像する（ステップＳ８Ｂ）。より具体的には、ユーザーがボタン３０２または３０４を選択することで、カメラ２０６が有効化され、ユーザーは原稿の表紙または最終ページがその視野範囲に含まれるように調整することで、原稿の表紙を示す原稿表紙写真画像および原稿の最終ページを示す原稿最終写真画像がそれぞれ生成される。
【０１１６】
原稿の撮像が完了すると、操作パネルアプリケーション２１０は、ユーザーに対して、設定値の入力を促す（ステップＳ１０）。このときのユーザーインターフェイスの一例を図１２（Ｂ）に示す。このユーザーインターフェイス画面３１０は、解像度設定情報を入力する入力ボックス３１１と、画像調整系設定情報を入力する入力ボックス３１２、印字枚数設定情報を入力する入力ボックス３１３と、スキャン宛先を入力する入力ボックス３１４とを含む。ユーザーは、ユーザーインターフェイス画面３１０上で所望する設定値を入力し（ステップＳ１２）、入力完了を示すボタン３１５（ＯＫボタン）を選択すると、入力が完了する。
【０１１７】
設定値の入力が完了すると、操作パネルアプリケーション２１０は、ユーザーに対して、原稿の画像形成装置１００Ａへのセットを促す（ステップＳ１４）。ユーザーは、ステップＳ１２の実行後、いずれも原稿を画像形成装置１００Ａの自動原稿送り装置上にセットすることができる。このときのユーザーインターフェイスの一例を図１２（Ｃ）に示す。ユーザーインターフェイス画面３２０は、「ＪＯＢ＿Ｔｉｃｋｅｔを送信します。ＭＦＰの上に原稿をセットして下さい。」といった撮像を促すメッセージ３２１とともに、原稿のセットの完了を通知するボタン３２２を含む。ユーザーは、画像形成装置１００Ａの自動原稿送り装置上に原稿をセットし（ステップＳ１６）、入力完了を示すボタン３１５（ＯＫボタン）を選択する（ユーザー確認）（ステップＳ１８）。このボタン３１５は、携帯端末２００Ａから画像形成装置１００ＡへのＪＯＢ＿Ｔｉｃｋｅｔの送信を指示するボタンに相当する。このように、携帯端末２００Ａには、原稿が画像形成装置１００Ａにセットできていることを確認するための画面を表示し、ユーザーが原稿を既にセットしていることを確認するボタン３１５を選択すると、ここではじめてＪＯＢ＿Ｔｉｃｋｅｔの画像形成装置１００Ａへの送信が開始される（ステップＳ２０）。
【０１１８】
続いて、画像形成装置１００Ａのシステムコントローラー６は、携帯端末２００ＡからＪＯＢ＿Ｔｉｃｋｅｔを受信すると、既に格納されているＪＯＢ＿Ｔｉｃｋｅｔの数を確認する（ステップＳ２２）。既に格納されているＪＯＢ＿Ｔｉｃｋｅｔが所定数を超えている場合（ステップＳ２２においてＹＥＳの場合）には、システムコントローラー６は、受信したＪＯＢ＿Ｔｉｃｋｅｔを送信した携帯端末２００Ａに対して、「しばらく待ってから送信ください」というメッセージを送信する（ステップＳ２４）。このメッセージは、携帯端末２００Ａを介してユーザーへ通知される。
【０１１９】
これに対して、既に格納されているＪＯＢ＿Ｔｉｃｋｅｔが所定数以内である場合（ステップＳ２２においてＮＯの場合）には、システムコントローラー６は、受信したＪＯＢ＿Ｔｉｃｋｅｔを格納する（ステップＳ２６）。
【０１２０】
（ｄ４：画像形成装置１００Ａ側の処理手順）
次に、実施の形態２に従う画像形成装置１００Ａにおける処理手順について説明する。
【０１２１】
図１３は、実施の形態２に従う画像形成装置１００Ａにおける処理手順を示すフローチャートである。図１３に示す各ステップは、画像形成装置１００Ａのシステムコントローラー６がプログラムを実行することによって実現される。
【０１２２】
図１３を参照して、まず、システムコントローラー６は、自動原稿送り装置上に原稿がセットされているか否かを判断する（ステップＳ２００）。自動原稿送り装置上に原稿がセットされていない場合（ステップＳ２００においてＮＯの場合）には、処理は終了する。
【０１２３】
自動原稿送り装置上に原稿がセットされている場合（ステップＳ２００においてＹＥＳの場合）には、システムコントローラー６は、何らかのＪＯＢ＿Ｔｉｃｋｅｔが格納されているか否かを判断する（ステップＳ２０２）。何らのＪＯＢ＿Ｔｉｃｋｅｔも格納されていない場合（ステップＳ２０２においてＮＯの場合）には、ステップＳ２０２の処理が繰り返される。
【０１２４】
何らかのＪＯＢ＿Ｔｉｃｋｅｔが格納されている場合（ステップＳ２０２においてＹＥＳの場合）には、システムコントローラー６は、イメージスキャナー３に対して起動指令を与え、自動原稿送り装置上にセットされている原稿を１枚だけスキャンさせる（ステップＳ２０４）。すなわち、画像読取部１５２が原稿を読み取ってスキャン画像を生成する。システムコントローラー６（スキャン画像記憶部１５４）は、読み取られたスキャン画像を格納する（ステップＳ２０６）。システムコントローラー６は、原稿１枚のスキャンが完了した時点で、イメージスキャナー３に対して起動指令を与えて、スキャン動作を一旦停止させる（ステップＳ２０８）。
【０１２５】
続いて、システムコントローラー６（ＪＯＢ＿Ｔｉｃｋｅｔ検索部１５６）は、スキャン画像記憶部１５４に格納されているスキャン画像に対応する原稿表紙写真画像を含むＪＯＢ＿Ｔｉｃｋｅｔを検索する（ステップＳ２１０）。この検索処理において、スキャン画像に対して各種の画像変換処理を行なってもよい。また、イメージスキャナー３によって読み取られた画像と携帯端末２００のカメラ２０６によって撮像された画像とは完全に一致しないので、各種の画像マッチング処理を用いて、スキャン画像と原稿表紙写真画像とを対応付けてもよい。すなわち、ＪＯＢ＿Ｔｉｃｋｅｔ検索部１５６は、スキャン画像記憶部１５４に記憶されたスキャン画像と、ＪＯＢ＿Ｔｉｃｋｅｔ記憶部１６０に記憶されている複数のＪＯＢ＿Ｔｉｃｋｅｔに含まれている原稿表紙写真画像とを比較し、一致するものを検索する。
【０１２６】
システムコントローラー６（ＪＯＢ＿Ｔｉｃｋｅｔ検索部１５６）は、スキャン画像記憶部１５４に格納されているスキャン画像に対応する原稿表紙写真画像を含むＪＯＢ＿Ｔｉｃｋｅｔが検索できたか否かを判断する（ステップＳ２１２）。
【０１２７】
スキャン画像記憶部１５４に格納されているスキャン画像に対応する原稿表紙写真画像を含むＪＯＢ＿Ｔｉｃｋｅｔが検索できなかった場合（ステップＳ２１２においてＮＯの場合）には、システムコントローラー６（ＪＯＢ＿Ｔｉｃｋｅｔ検索部１５６）は、受信待タイマーを起動する（ステップＳ２１４）。続いて、システムコントローラー６（ＪＯＢ＿Ｔｉｃｋｅｔ検索部１５６）は、何らかのＪＯＢ＿Ｔｉｃｋｅｔを受信したか否かを判断する（ステップＳ２１６）。何らかのＪＯＢ＿Ｔｉｃｋｅｔを受信した場合（ステップＳ２１６においてＹＥＳの場合）には、ステップＳ２１０以下の処理が繰り返される。
【０１２８】
何らのＪＯＢ＿Ｔｉｃｋｅｔも受信しなかった場合（ステップＳ２１６においてＮＯの場合）には、システムコントローラー６（ＪＯＢ＿Ｔｉｃｋｅｔ検索部１５６）は、ステップＳ２１４において起動した受信待タイマーが所定時間に到達したか否かを判断する（ステップＳ２１８）。受信待タイマーが所定時間に到達していない場合（ステップＳ２１８においてＮＯの場合）には、ステップＳ２１６以下の処理が繰り返される。これに対して、受信待タイマーが所定時間に到達している場合（ステップＳ２１８においてＹＥＳの場合）には、システムコントローラー６（ＪＯＢ＿Ｔｉｃｋｅｔ検索部１５６）は、スキャン画像記憶部１５４に格納されているスキャン画像を破棄する（ステップＳ２２０）。そして、処理は終了する。すなわち、スキャン画像が取得されてから受信待タイマーが所定時間に到達するまでに、ＪＯＢ＿Ｔｉｃｋｅｔが受信されなかった場合には、取得されたスキャン画像は所有者不明のデータとして取り扱いそれを破棄するとともに、次の原稿の読み込みを開始する。これによって、特定のユーザーによって画像形成装置１００Ａが占有されることを防止する。
【０１２９】
これに対して、スキャン画像記憶部１５４に格納されているスキャン画像に対応する原稿表紙写真画像を含むＪＯＢ＿Ｔｉｃｋｅｔが検索できた場合（ステップＳ２１２においてＹＥＳの場合）には、システムコントローラー６（設定部１６２）は、検索されたＪＯＢ＿Ｔｉｃｋｅｔに含まれる設定値を設定する（ステップＳ２２２）。すなわち、画像形成部１６４に対して、選択されたＪＯＢ＿Ｔｉｃｋｅｔに含まれる設定値がセットされる。あわせて、システムコントローラー６（最終ページ画像比較部１６６）は、検索されたＪＯＢ＿Ｔｉｃｋｅｔに含まれる原稿最終写真画像を設定する（ステップＳ２２４）。
【０１３０】
続いて、システムコントローラー６（画像形成部１６４）は、選択されたＪＯＢ＿Ｔｉｃｋｅｔに含まれる設定値に従って、対象のスキャン画像についての処理を実行し、出力画像を生成する（ステップＳ２２６）。
【０１３１】
その後、システムコントローラー６は、自動原稿送り装置上に原稿がセットされているか否かを判断する（ステップＳ２２８）。自動原稿送り装置上に原稿がセットされていない場合（ステップＳ２２８においてＮＯの場合）には、処理は終了する。これに対して、自動原稿送り装置上に原稿がセットされている場合（ステップＳ２２８においてＹＥＳの場合）には、システムコントローラー６は、イメージスキャナー３に対して起動指令を与え、自動原稿送り装置上にセットされている原稿を１枚だけスキャンさせる（ステップＳ２３０）。すなわち、画像読取部１５２が原稿を読み取ってスキャン画像を生成する。システムコントローラー６（スキャン画像記憶部１５４）は、読み取られたスキャン画像を格納する（ステップＳ２３２）。システムコントローラー６は、原稿１枚のスキャンが完了した時点で、イメージスキャナー３に対して起動指令を与えて、スキャン動作を一旦停止させる（ステップＳ２３４）。
【０１３２】
続いて、システムコントローラー６（最終ページ画像比較部１６６）は、ステップＳ２３４において設定された原稿最終写真画像が取得されたスキャン画像が一致するか否かを判断する（ステップＳ２３６）。設定されている原稿最終写真画像が取得されたスキャン画像と一致しない場合（ステップＳ２３６においてＮＯの場合）には、ステップＳ２２６以下の処理が繰り返される。
【０１３３】
これに対して、設定されている原稿最終写真画像が取得されたスキャン画像と一致した場合（ステップＳ２３６においてＹＥＳの場合）には、システムコントローラー６（画像形成部１６４）は、現在の設定値に従って、対象のスキャン画像についての処理を実行し、出力画像を生成する（ステップＳ２３８）。続いて、システムコントローラー６（ＪＯＢ＿Ｔｉｃｋｅｔ検索部１５６）は、現在選択されているＪＯＢ＿Ｔｉｃｋｅｔを破棄する（ステップＳ２４０）。すなわち、現在のＪＯＢの実行が完了したと判断されると、直前に検索したＪＯＢ＿Ｔｉｃｋｅｔが削除される。すなわち、システムコントローラー６（ＪＯＢ＿Ｔｉｃｋｅｔ検索部１５６）は、現在のＪＯＢの実行が完了して、新たなＪＯＢ＿Ｔｉｃｋｅｔが検索されることになる場合には、直前に検索したＪＯＢ＿Ｔｉｃｋｅｔを削除する。続いて、システムコントローラー６（設定部１６２）は、現在の設定値を解除する（ステップＳ２４２）。そして、処理は終了する。
【０１３４】
上述のような処理によって、ＪＯＢ＿Ｔｉｃｋｅｔに含まれる原稿表紙写真画像に対応するスキャン画像から、原稿最終写真画像に対応するスキャン画像までの一連のスキャン画像に対して、対応するＪＯＢ＿Ｔｉｃｋｅｔに含まれる設定値が適用される。
【０１３５】
上述の一連の処理は、格納されているＪＯＢ＿Ｔｉｃｋｅｔおよび自動原稿送り装置上にセットされた原稿がなくなるまで繰り返される。
【０１３６】
このように、実施の形態２においては、ＪＯＢ＿Ｔｉｃｋｅｔ検索部１５６は、画像読取部１５２が原稿を１枚読み取るたびにＪＯＢ＿Ｔｉｃｋｅｔの検索処理を実行する。
【０１３７】
（ｄ５：利点）
実施の形態２によれば、複数の携帯端末２００Ａを用いた遠隔操作であっても、その待ち時間をなくしてより有効に活用できる。これにより、携帯端末２００Ａを用いた画像形成装置１００Ａの遠隔操作の機能をより実用的にできる。
【０１３８】
＜Ｅ．実施の形態３＞
以下、本発明の実施の形態３に従う画像形成装置およびそれを含む画像形成システムについて説明する。
【０１３９】
以下、本発明の実施の形態２に従う画像形成装置およびそれを含む画像形成システムについて説明する。
【０１４０】
（ｅ１：概要）
上述の実施の形態１においては、別のＪＯＢ＿Ｔｉｃｋｅｔに含まれる原稿表紙写真画像と一致するスキャン画像が取得されるまで先に選択されたＪＯＢ＿Ｔｉｃｋｅｔに含まれる設定値が有効化される。これに対して、実施の形態３においては、ＪＯＢ＿Ｔｉｃｋｅｔに、対応するユーザーが処理しようとする原稿の枚数の情報を含む。そして、実施の形態３に従う画像形成装置１００Ｂは、画像読取部であるイメージスキャナー３によって、いずれかの原稿表紙写真画像と一致する原稿が読み取られと、対応する原稿の枚数になるまでイメージスキャナー３によって原稿を読み取る。すなわち、いずれかの原稿表紙写真画像と一致するスキャン画像が取得されると、対応する枚数からなる一連のスキャン画像について、対応するＪＯＢ＿Ｔｉｃｋｅｔに含まれる設定値に従って処理を行なう。
【０１４１】
すなわち、実施の形態３においては、ＪＯＢ＿Ｔｉｃｋｅｔが原稿の先頭ページ（表紙）の画像および対応する原稿の枚数の情報を含むので、当該ＪＯＢ＿Ｔｉｃｋｅｔに対応する原稿の開始位置から終了位置までをこれらの情報を用いて特定する。このようにして、対象のＪＯＢ＿Ｔｉｃｋｅｔが適用されるべき範囲を検出する。
【０１４２】
（ｅ２：画像形成装置１００Ｂにおける機能構成）
次に、実施の形態３に従う画像形成装置１００Ｂにおける機能構成について説明する。
【０１４３】
図１４は、実施の形態３に従う画像形成装置１００Ｂの機能構成を示す模式図である。図１４を参照して、実施の形態３に従う画像形成装置１００Ｂは、実施の形態１に従う画像形成装置１００に比較して、スキャン枚数比較部１６８が付加されている点、および、ＪＯＢ＿Ｔｉｃｋｅｔ４００Ｂが設定値および原稿表紙写真画像に加えて、対応する原稿の枚数の情報を含む点が異なっている。
【０１４４】
より詳細には、画像形成装置１００Ｂは、その機能構成として、画像読取部１５２と、スキャン画像記憶部１５４と、ＪＯＢ＿Ｔｉｃｋｅｔ検索部１５６と、ＪＯＢ＿Ｔｉｃｋｅｔ受信部１５８と、ＪＯＢ＿Ｔｉｃｋｅｔ記憶部１６０と、設定部１６２と、画像形成部１６４と、スキャン枚数比較部１６８とを含む。これらの機能構成は、典型的には、システムコントローラー６のＣＰＵ６０がプログラムを実行し、画像形成装置１００Ｂの構成要素へ指令を与えることなどによって実現される。これらの機能構成の一部または全部をハードウェアで実現してもよい。
【０１４５】
画像読取部１５２は、イメージスキャナー３に対して指令を与えることで実現される。画像読取部１５２は、原稿５００を読み取って第１の画像データであるスキャン画像を生成する。なお、スキャン画像に対して、ＪＯＢ＿Ｔｉｃｋｅｔ４００Ｂに含まれる設定値に従った画像処理が行なわれて、最終的な画像が出力されるので、イメージスキャナー３によって読み取られた生信号であってもよい。実施の形態３においては、画像読取部１５２は、原稿５００の１枚毎にスキャン画像を生成する。
【０１４６】
スキャン画像記憶部１５４は、画像読取部１５２によって読み取られたスキャン画像を格納する。
【０１４７】
ＪＯＢ＿Ｔｉｃｋｅｔ受信部１５８は、携帯端末２００Ｂから送信されるＪＯＢ＿Ｔｉｃｋｅｔ４００Ｂを受信する。
【０１４８】
ＪＯＢ＿Ｔｉｃｋｅｔ記憶部１６０は、ＪＯＢ＿Ｔｉｃｋｅｔ受信部１５８によって受信されたＪＯＢ＿Ｔｉｃｋｅｔ４００Ｂを格納する。ＪＯＢ＿Ｔｉｃｋｅｔ受信部１５８によって受信されるＪＯＢ＿Ｔｉｃｋｅｔ４００Ｂは、ユーザーによる携帯端末２００Ｂの操作によって設定される画像形成装置１００Ｂにおける原稿５００に対する処理に係る設定値と、対応する原稿５００の少なくとも一部を示す第２の画像データである原稿表紙写真画像とを含む。
【０１４９】
ＪＯＢ＿Ｔｉｃｋｅｔ４００Ｂに含まれる設定値は、携帯端末２００Ｂの操作パネルアプリケーションによって設定される値を含む。この設定値は、コピー処理やスキャン処理に係るものを含み、典型的には、解像度設定情報、印字枚数設定情報、画像調整系設定情報、スキャン宛先等を含む。また、原稿表紙写真画像は、携帯端末２００Ｂに搭載された撮像手段であるカメラ２０６を用いて、ユーザーが、当該ユーザーが処理しようとする原稿５００を撮像することで得られるものである。原稿表紙写真画像は、典型的には、ユーザーが処理しようとする原稿５００の先頭ページの画像（原稿表紙写真画像）を含む。さらに、ＪＯＢ＿Ｔｉｃｋｅｔ４００Ｂは、対応する原稿の枚数の情報を含む。
【０１５０】
ＪＯＢ＿Ｔｉｃｋｅｔ検索部１５６は、画像読取部１５２によって生成されたスキャン画像に対応する原稿表紙写真画像を含むＪＯＢ＿Ｔｉｃｋｅｔ４００Ｂを検索する。すなわち、ＪＯＢ＿Ｔｉｃｋｅｔ検索部１５６は、ＪＯＢ＿Ｔｉｃｋｅｔ記憶部１６０に格納されているＪＯＢ＿Ｔｉｃｋｅｔ４００Ｂに含まれる原稿表紙写真画像から対象のスキャン画像と一致する。
【０１５１】
設定部１６２は、ＪＯＢ＿Ｔｉｃｋｅｔ検索部１５６によって検索されたＪＯＢ＿Ｔｉｃｋｅｔ４００Ｂに含まれる設定値を画像形成部１６４へ出力する。
【０１５２】
画像形成部１６４は、ＪＯＢ＿Ｔｉｃｋｅｔ検索部１５６によって対応付けられたＪＯＢ＿Ｔｉｃｋｅｔ４００Ｂに含まれる設定値に従って、対応するスキャン画像についての処理を実行する。すなわち、画像形成部１６４は、原稿読取部１５２によって読み取られたスキャン画像に対して、ユーザーが操作パネルアプリケーションによって設定した画像処理（色変換や画像補正等）を実行するとともに、設定した枚数のプリントまたは設定した宛先へのスキャン等を実行する。画像形成部１６４によって生成された画像が出力される。
【０１５３】
スキャン枚数比較部１６８は、選択されたＪＯＢ＿Ｔｉｃｋｅｔ４００Ｂに含まれる原稿の枚数の情報と読み取られたスキャン画像の枚数との一致を判断し、読み取られたスキャン画像の枚数が指定された原稿の枚数と一致した場合には、現在処理中のＪＯＢが終了したと判断し、次のＪＯＢへの遷移を指示する。
【０１５４】
（ｅ３：ＪＯＢ＿Ｔｉｃｋｅｔ送信に係る処理手順）
次に、実施の形態３に従う携帯端末２００Ｂから画像形成装置１００ＢへのＪＯＢ＿Ｔｉｃｋｅｔの送信に係る処理手順について説明する。実施の形態３に従う携帯端末２００Ｂから画像形成装置１００ＢへのＪＯＢ＿Ｔｉｃｋｅｔの送信に係る処理手順は、図７に示す実施の形態１に従うシーケンス図とほぼ同様である。但し、ＪＯＢ＿Ｔｉｃｋｅｔ４００Ｂが原稿表紙写真画像および原稿の枚数の情報を含むため、これらの情報の入力を支援するためのユーザーインターフェイス画面が提供される。
【０１５５】
図１５は、実施の形態３に従う携帯端末２００Ｂから画像形成装置１００ＢへのＪＯＢ＿Ｔｉｃｋｅｔの送信に係る処理手順を示すシーケンス図である。図１６は、実施の形態３に従う携帯端末２００Ｂが提供するユーザーインターフェイスの一例を示す図である。
【０１５６】
図１５を参照して、ユーザーが携帯端末２００Ｂに対してユーザー操作を行なう（ステップＳ２）と、携帯端末２００Ｂにおいて操作パネルアプリケーション２１０が起動する（ステップＳ４）。まず、操作パネルアプリケーション２１０は、ユーザーに対して、カメラ２０６を用いて原稿の先頭ページ（表紙）を撮像するように促すとともに、対応する原稿の枚数の入力を促す（ステップＳ７）。このときのユーザーインターフェイスの一例を図１６（Ａ）に示す。このユーザーインターフェイス画面３００Ｂは、「コピー／スキャンする原稿の表紙を撮像して下さい。」といった撮像を促すメッセージ３０１とともに、原稿の先頭ページ（表紙）の撮像を開始するボタン３０２を含む。さらに、ユーザーインターフェイス画面３００Ｂは、「コピー／スキャンする原稿の枚数を入力して下さい。」といった撮像を促すメッセージ３０５とともに、原稿の枚数を入力する入力ボックス３０６を含む。
【０１５７】
このユーザーインターフェイス画面３００Ｂに応答して、ユーザーは、原稿の表紙を撮像する（ステップＳ８）とともに、対応する原稿の枚数を入力する（ステップＳ９）。より具体的には、ユーザーがボタン３０２を選択することで、カメラ２０６が有効化され、ユーザーは原稿の表紙がその視野範囲に含まれるように調整することで、原稿の表紙を示す原稿表紙写真画像が生成される。また、ユーザーは、入力ボックス３０６に対する操作を行なうことで、処理対象の原稿の枚数を入力する。
【０１５８】
原稿の撮像および枚数の入力が完了すると、操作パネルアプリケーション２１０は、ユーザーに対して、設定値の入力を促す（ステップＳ１０）。このときのユーザーインターフェイスの一例を図１６（Ｂ）に示す。このユーザーインターフェイス画面３１０は、解像度設定情報を入力する入力ボックス３１１と、画像調整系設定情報を入力する入力ボックス３１２、印字枚数設定情報を入力する入力ボックス３１３と、スキャン宛先を入力する入力ボックス３１４とを含む。ユーザーは、ユーザーインターフェイス画面３１０上で所望する設定値を入力し（ステップＳ１２）、入力完了を示すボタン３１５（ＯＫボタン）を選択すると、入力が完了する。
【０１５９】
設定値の入力が完了すると、操作パネルアプリケーション２１０は、ユーザーに対して、原稿の画像形成装置１００Ｂへのセットを促す（ステップＳ１４）。ユーザーは、ステップＳ１２の実行後、いずれも原稿を画像形成装置１００Ｂの自動原稿送り装置上にセットすることができる。このときのユーザーインターフェイスの一例を図１６（Ｃ）に示す。ユーザーインターフェイス画面３２０は、「ＪＯＢ＿Ｔｉｃｋｅｔを送信します。ＭＦＰの上に原稿をセットして下さい。」といった撮像を促すメッセージ３２１とともに、原稿のセットの完了を通知するボタン３２２を含む。ユーザーは、画像形成装置１００Ｂの自動原稿送り装置上に原稿をセットし（ステップＳ１６）、入力完了を示すボタン３１５（ＯＫボタン）を選択する（ユーザー確認）（ステップＳ１８）。このボタン３１５は、携帯端末２００Ｂから画像形成装置１００ＢへのＪＯＢ＿Ｔｉｃｋｅｔの送信を指示するボタンに相当する。このように、携帯端末２００Ｂには、原稿が画像形成装置１００Ｂにセットできていることを確認するための画面を表示し、ユーザーが原稿を既にセットしていることを確認するボタン３１５を選択すると、ここではじめてＪＯＢ＿Ｔｉｃｋｅｔの画像形成装置１００Ｂへの送信が開始される（ステップＳ２０）。
【０１６０】
続いて、画像形成装置１００Ｂのシステムコントローラー６は、携帯端末２００ＢからＪＯＢ＿Ｔｉｃｋｅｔを受信すると、既に格納されているＪＯＢ＿Ｔｉｃｋｅｔの数を確認する（ステップＳ２２）。既に格納されているＪＯＢ＿Ｔｉｃｋｅｔが所定数を超えている場合（ステップＳ２２においてＹＥＳの場合）には、システムコントローラー６は、受信したＪＯＢ＿Ｔｉｃｋｅｔを送信した携帯端末２００Ｂに対して、「しばらく待ってから送信ください」というメッセージを送信する（ステップＳ２４）。このメッセージは、携帯端末２００Ｂを介してユーザーへ通知される。
【０１６１】
これに対して、既に格納されているＪＯＢ＿Ｔｉｃｋｅｔが所定数以内である場合（ステップＳ２２においてＮＯの場合）には、システムコントローラー６は、受信したＪＯＢ＿Ｔｉｃｋｅｔを格納する（ステップＳ２６）。
【０１６２】
（ｅ４：画像形成装置１００Ｂ側の処理手順）
次に、実施の形態３に従う画像形成装置１００Ｂにおける処理手順について説明する。
【０１６３】
図１７は、実施の形態３に従う画像形成装置１００Ｂにおける処理手順を示すフローチャートである。図１７に示す各ステップは、画像形成装置１００Ｂのシステムコントローラー６がプログラムを実行することによって実現される。
【０１６４】
図１７を参照して、まず、システムコントローラー６は、自動原稿送り装置上に原稿がセットされているか否かを判断する（ステップＳ３００）。自動原稿送り装置上に原稿がセットされていない場合（ステップＳ３００においてＮＯの場合）には、処理は終了する。
【０１６５】
自動原稿送り装置上に原稿がセットされている場合（ステップＳ３００においてＹＥＳの場合）には、システムコントローラー６は、何らかのＪＯＢ＿Ｔｉｃｋｅｔが格納されているか否かを判断する（ステップＳ３０２）。何らのＪＯＢ＿Ｔｉｃｋｅｔも格納されていない場合（ステップＳ３０２においてＮＯの場合）には、ステップＳ３０２の処理が繰り返される。
【０１６６】
何らかのＪＯＢ＿Ｔｉｃｋｅｔが格納されている場合（ステップＳ３０２においてＹＥＳの場合）には、システムコントローラー６は、イメージスキャナー３に対して起動指令を与え、自動原稿送り装置上にセットされている原稿を１枚だけスキャンさせる（ステップＳ３０４）。すなわち、画像読取部１５２が原稿を読み取ってスキャン画像を生成する。システムコントローラー６（スキャン画像記憶部１５４）は、読み取られたスキャン画像を格納する（ステップＳ３０６）。システムコントローラー６は、原稿１枚のスキャンが完了した時点で、イメージスキャナー３に対して起動指令を与えて、スキャン動作を一旦停止させる（ステップＳ３０８）。
【０１６７】
続いて、システムコントローラー６（ＪＯＢ＿Ｔｉｃｋｅｔ検索部１５６）は、スキャン画像記憶部１５４に格納されているスキャン画像に対応する原稿表紙写真画像を含むＪＯＢ＿Ｔｉｃｋｅｔを検索する（ステップＳ３１０）。この検索処理において、スキャン画像に対して各種の画像変換処理を行なってもよい。また、イメージスキャナー３によって読み取られた画像と携帯端末２００のカメラ２０６によって撮像された画像とは完全に一致しないので、各種の画像マッチング処理を用いて、スキャン画像と原稿表紙写真画像とを対応付けてもよい。すなわち、ＪＯＢ＿Ｔｉｃｋｅｔ検索部１５６は、スキャン画像記憶部１５４に記憶されたスキャン画像と、ＪＯＢ＿Ｔｉｃｋｅｔ記憶部１６０に記憶されている複数のＪＯＢ＿Ｔｉｃｋｅｔに含まれている原稿表紙写真画像とを比較し、一致するものを検索する。
【０１６８】
システムコントローラー６（ＪＯＢ＿Ｔｉｃｋｅｔ検索部１５６）は、スキャン画像記憶部１５４に格納されているスキャン画像に対応する原稿表紙写真画像を含むＪＯＢ＿Ｔｉｃｋｅｔが検索できたか否かを判断する（ステップＳ３１２）。
【０１６９】
スキャン画像記憶部１５４に格納されているスキャン画像に対応する原稿表紙写真画像を含むＪＯＢ＿Ｔｉｃｋｅｔが検索できなかった場合（ステップＳ３１２においてＮＯの場合）には、システムコントローラー６（ＪＯＢ＿Ｔｉｃｋｅｔ検索部１５６）は、受信待タイマーを起動する（ステップＳ３１４）。続いて、システムコントローラー６（ＪＯＢ＿Ｔｉｃｋｅｔ検索部１５６）は、何らかのＪＯＢ＿Ｔｉｃｋｅｔを受信したか否かを判断する（ステップＳ３１６）。何らかのＪＯＢ＿Ｔｉｃｋｅｔを受信した場合（ステップＳ３１６においてＹＥＳの場合）には、ステップＳ３１０以下の処理が繰り返される。
【０１７０】
何らのＪＯＢ＿Ｔｉｃｋｅｔも受信しなかった場合（ステップＳ３１６においてＮＯの場合）には、システムコントローラー６（ＪＯＢ＿Ｔｉｃｋｅｔ検索部１５６）は、ステップＳ３１４において起動した受信待タイマーが所定時間に到達したか否かを判断する（ステップＳ３１８）。受信待タイマーが所定時間に到達していない場合（ステップＳ３１８においてＮＯの場合）には、ステップＳ３１６以下の処理が繰り返される。これに対して、受信待タイマーが所定時間に到達している場合（ステップＳ３１８においてＹＥＳの場合）には、システムコントローラー６（ＪＯＢ＿Ｔｉｃｋｅｔ検索部１５６）は、スキャン画像記憶部１５４に格納されているスキャン画像を破棄する（ステップＳ３２０）。そして、処理は終了する。すなわち、スキャン画像が取得されてから受信待タイマーが所定時間に到達するまでに、ＪＯＢ＿Ｔｉｃｋｅｔが受信されなかった場合には、取得されたスキャン画像は所有者不明のデータとして取り扱いそれを破棄するとともに、次の原稿の読み込みを開始する。これによって、特定のユーザーによって画像形成装置１００Ｂが占有されることを防止する。
【０１７１】
これに対して、スキャン画像記憶部１５４に格納されているスキャン画像に対応する原稿表紙写真画像を含むＪＯＢ＿Ｔｉｃｋｅｔが検索できた場合（ステップＳ３１２においてＹＥＳの場合）には、システムコントローラー６（設定部１６２）は、検索されたＪＯＢ＿Ｔｉｃｋｅｔに含まれる設定値を設定する（ステップＳ３２２）。すなわち、画像形成部１６４に対して、選択されたＪＯＢ＿Ｔｉｃｋｅｔに含まれる設定値がセットされる。あわせて、システムコントローラー６（スキャン枚数比較部１６８）は、検索されたＪＯＢ＿Ｔｉｃｋｅｔに含まれる原稿の枚数を設定する（ステップＳ３２４）。
【０１７２】
続いて、システムコントローラー６（画像形成部１６４）は、選択されたＪＯＢ＿Ｔｉｃｋｅｔに含まれる設定値に従って、対象のスキャン画像についての処理を実行し、出力画像を生成する（ステップＳ３２６）。
【０１７３】
その後、システムコントローラー６は、自動原稿送り装置上に原稿がセットされているか否かを判断する（ステップＳ３２８）。自動原稿送り装置上に原稿がセットされていない場合（ステップＳ３２８においてＮＯの場合）には、処理は終了する。これに対して、自動原稿送り装置上に原稿がセットされている場合（ステップＳ３２８においてＹＥＳの場合）には、システムコントローラー６は、イメージスキャナー３に対して起動指令を与え、自動原稿送り装置上にセットされている原稿を１枚だけスキャンさせる（ステップＳ３３０）。すなわち、画像読取部１５２が原稿を読み取ってスキャン画像を生成する。システムコントローラー６（スキャン画像記憶部１５４）は、読み取られたスキャン画像を格納する（ステップＳ３３２）。
【０１７４】
続いて、システムコントローラー６（スキャン枚数比較部１６８）は、読み取られたスキャン画像の枚数がステップＳ３３４において設定されている枚数に到達したか否かを判断する（ステップＳ３３６）。スキャン画像の枚数が設定されている枚数に到達していない場合（ステップＳ３３６においてＮＯの場合）には、ステップＳ３２６以下の処理が繰り返される。
【０１７５】
これに対して、スキャン画像の枚数が設定されている枚数に到達している場合（ステップＳ３３６においてＹＥＳの場合）には、システムコントローラー６（画像形成部１６４）は、現在の設定値に従って、対象のスキャン画像についての処理を実行し、出力画像を生成する（ステップＳ３３８）。続いて、システムコントローラー６（ＪＯＢ＿Ｔｉｃｋｅｔ検索部１５６）は、現在選択されているＪＯＢ＿Ｔｉｃｋｅｔを破棄する（ステップＳ３４０）。すなわち、現在のＪＯＢの実行が完了したと判断されると、直前に検索したＪＯＢ＿Ｔｉｃｋｅｔが削除される。すなわち、システムコントローラー６（ＪＯＢ＿Ｔｉｃｋｅｔ検索部１５６）は、現在のＪＯＢの実行が完了して、新たなＪＯＢ＿Ｔｉｃｋｅｔが検索されることになる場合には、直前に検索したＪＯＢ＿Ｔｉｃｋｅｔを削除する。続いて、システムコントローラー６（設定部１６２）は、現在の設定値を解除する（ステップＳ３４２）。そして、処理は終了する。
【０１７６】
上述のような処理によって、ＪＯＢ＿Ｔｉｃｋｅｔに含まれる原稿表紙写真画像に対応するスキャン画像から、指定された枚数に到達するまでの一連のスキャン画像に対して、対応するＪＯＢ＿Ｔｉｃｋｅｔに含まれる設定値が適用される。
【０１７７】
上述の一連の処理は、格納されているＪＯＢ＿Ｔｉｃｋｅｔおよび自動原稿送り装置上にセットされた原稿がなくなるまで繰り返される。
【０１７８】
このように、実施の形態２においては、ＪＯＢ＿Ｔｉｃｋｅｔ検索部１５６は、画像読取部１５２が原稿を１枚読み取るたびにＪＯＢ＿Ｔｉｃｋｅｔの検索処理を実行する。
【０１７９】
（ｅ５：利点）
実施の形態３によれば、複数の携帯端末２００Ｂを用いた遠隔操作であっても、その待ち時間をなくしてより有効に活用できる。これにより、携帯端末２００Ｂを用いた画像形成装置１００Ｂの遠隔操作の機能をより実用的にできる。
【０１８０】
＜Ｆ．変形例＞
上述の実施の形態１〜３においては、ユーザーは、携帯端末２００（２００Ａ，２００Ｂ）を操作して、コピー処理やスキャン処理等などの設定および実行を指示するだけであるが、これらの指定された処理の実行が完了した時点で、当該指示を行ったユーザーに処理の実行の完了を通知してもよい。以下のようなＪＯＢの実行完了を報告する変形例について説明する。
【０１８１】
このようなＪＯＢの実行完了を報告するために、ＪＯＢ＿Ｔｉｃｋｅｔは、当該ＪＯＢ＿Ｔｉｃｋｅｔの送信元の携帯端末２００を示す識別情報を含む。このような識別情報としては、携帯端末２００を一意に特定できればよく、任意のものを採用することができる。典型的には、識別情報としては、携帯端末２００に割り当てられているネットワークアドレス（ＩＰアドレス）、ＭＡＣアドレス、製造者が割り当てた固有情報などを含む。
【０１８２】
そして、画像形成装置１００は、処理対象のＪＯＢ＿Ｔｉｃｋｅｔに係る原稿に対する処理の完了の判断に応答して、当該ＪＯＢ＿Ｔｉｃｋｅｔの送信元の携帯端末２００へ対応する識別情報に基づいてＪＯＢの完了を報告する。この完了報告のタイミングとしては、実施の形態１においては、いずれかのスキャン画像に対応する原稿表紙写真画像を含む新たなＪＯＢ＿Ｔｉｃｋｅｔが検索されると、そのタイミングで先に選択されたＪＯＢ＿Ｔｉｃｋｅｔに係る処理が完了したと判断できるので、画像形成装置１００は、この完了の判断をもって、完了報告を送信する。
【０１８３】
実施の形態２および３においては、それぞれ原稿最終写真画像および原稿の枚数に基づいてＪＯＢの実行完了を判断できるので、その実行完了が判断されたタイミングで、画像形成装置１００は、完了報告を送信する。
【０１８４】
＜Ｇ．付記＞
本発明は、別の局面として、さらに以下のように表現することができる。
【０１８５】
本発明の別の局面に従えば、携帯端末をコピー／スキャン時の操作パネルとして使用可能な構成の画像形成装置（ＭＦＰ）が提供される。画像形成装置は、原稿に形成されている画像を読み取って画像データを取得する画像読取部と、携帯端末側で設定されるコピー／スキャンの操作パネル画面設定（解像度設定／プリント枚数設定／画像調整系設定等）を受信する際に、携帯端末搭載のカメラ機能で撮像した「原稿の表紙写真画像データ」をともにＪＯＢ＿Ｔｉｃｋｅｔとして受信する、ＪＯＢ＿Ｔｉｃｋｅｔ受信部と、ＪＯＢ＿Ｔｉｃｋｅｔ受信部で受信したＪＯＢ＿Ｔｉｃｋｅｔを記憶するＪＯＢ＿Ｔｉｃｋｅｔ記憶部と、画像読取部で読み取られた画像データを１枚ずつ記憶するスキャン画像記憶部と、スキャン画像記憶部に記憶されている「スキャン画像」と同じ「原稿の表紙写真画像」を保有するＪＯＢ＿Ｔｉｃｋｅｔを、ＪＯＢ＿Ｔｉｃｋｅｔ記憶部に記憶された複数のＪＯＢ＿Ｔｉｃｋｅｔの中から検索するＪＯＢ＿Ｔｉｃｋｅｔ検索部と、ＪＯＢ＿Ｔｉｃｋｅｔ検索部で、検出されたＪＯＢ＿Ｔｉｃｋｅｔの設定値を画像形成装置に設定するＪＯＢ＿Ｔｉｃｋｅｔ設定部と、ＪＯＢ＿Ｔｉｃｋｅｔ設定部で設定された、設定値を基に画像処理を実施する画像形成部とを含む。
【０１８６】
好ましくは、画像形成装置は、ＪＯＢ＿Ｔｉｃｋｅｔ検索を毎スキャン実施し、別ＪＯＢ＿Ｔｉｃｋｅｔの「原稿の表紙写真画像」がスキャン画像と一致した場合に、新たに検出したＪＯＢ＿Ｔｉｃｋｅｔに置き換えて上記の処理を実施する。
【０１８７】
好ましくは、自動原稿送り装置に原稿が載置されており、携帯端末から原稿のＪＯＢ＿Ｔｉｃｋｅｔが送信されていない場合に、直前に載置されていた原稿の設定値でスキャンおよびコピーされてしまうことを回避するために、ＪＯＢ＿Ｔｉｃｋｅｔに「原稿の最終ページ撮像画像」が添付される。
【０１８８】
好ましくは、自動原稿送り装置に原稿が載置されており、携帯端末から原稿のＪＯＢ＿Ｔｉｃｋｅｔが送信されていない場合に、直前に載置されていた原稿の設定値でスキャンおよびコピーされてしまうことを回避するために、ＪＯＢ＿Ｔｉｃｋｅｔに原稿枚数情報を含ませる。
【０１８９】
好ましくは、ＪＯＢ＿Ｔｉｃｋｅｔ検索部は、新しいＪＯＢ＿Ｔｉｃｋｅｔの検索を実施する前に、直前に設定されていたＪＯＢ＿Ｔｉｃｋｅｔを送信してきた携帯端末へＪＯＢ＿Ｔｉｃｋｅｔに含まれる「携帯端末を認識する認識データ」に従ってＪＯＢの完了を報告する。
【０１９０】
好ましくは、ＪＯＢ＿Ｔｉｃｋｅｔ検索部は、次のＪＯＢ＿Ｔｉｃｋｅｔを検索した場合に、ＪＯＢ＿Ｔｉｃｋｅｔ記憶部から直前に選択されていたＪＯＢ＿Ｔｉｃｋｅｔを削除する。
【０１９１】
＜Ｈ．まとめ＞
本実施の形態によれば、複数の携帯端末上で操作パネルアプリケーションを使用した場合であっても、原稿と対応する操作パネルアプリケーションによる設定との関連付けを簡単かつ正確に実施できる。
【０１９２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１９３】
２  自動原稿送り装置、３  イメージスキャナー、４  プリントエンジン、５  給紙部、６  システムコントローラー、２１  原稿給紙台、２２，５２，５３，５４  送出ローラー、２３  レジストローラー、２４  搬送ドラム、２５  排紙台、２６  手差給紙部、２７  転写ベルト、３３  撮像デバイス、３５  原稿台、４１，４１Ｙ，４１Ｍ，４１Ｃ，４１Ｋ  感光体ドラム、４３Ｙ，４３Ｍ，４３Ｃ，４３Ｋ  画像書込部、４４Ｙ，４４Ｍ，４４Ｃ，４４Ｋ  イメージング（作像）ユニット、４５  転写器、４６  除電器、４７  定着装置、４８  クリーニング部、４９  センサー、５１  タイミングローラー、５５  搬送ローラー、５７  トレイ、６０，２０１  ＣＰＵ、６１，２０２  ＲＡＭ、６２  ＲＯＭ、６３  入力インターフェイス、６４  出力インターフェイス、６５，２０８  通信インターフェイス、６６，２０７  ネットワークインターフェイス、６７，２０９  バス、１００，１００Ａ，１００Ｂ  画像形成装置、１５２  画像読取部、１５４  スキャン画像記憶部、１５６  ＪＯＢ＿Ｔｉｃｋｅｔ検索部、１５８  ＪＯＢ＿Ｔｉｃｋｅｔ受信部、１６０  ＪＯＢ＿Ｔｉｃｋｅｔ記憶部、１６２  設定部、１６４  画像形成部、１６６  最終ページ画像比較部、１６８  スキャン枚数比較部、２００，２００Ａ，２００Ｂ  携帯端末、２０３  フラッシュメモリー、２０４  入力部、２０５  タッチパネル、２０６  カメラ、２１０  操作パネルアプリケーション、４４１Ｙ，４４１Ｍ，４４１Ｃ，４４１Ｋ  トナーユニット、４７１  加熱ローラー、４７２  加圧ローラー、５００  原稿。
【図１】
0005884487.tif 000002
【図２】
0005884487.tif 000003
【図３】
0005884487.tif 000004
【図４】
0005884487.tif 000005
【図５】
0005884487.tif 000006
【図６】
0005884487.tif 000007
【図７】
0005884487.tif 000008
【図８】
0005884487.tif 000009
【図９】
0005884487.tif 000010
【図１０】
0005884487.tif 000011
【図１１】
0005884487.tif 000012
【図１２】
0005884487.tif 000013
【図１３】
0005884487.tif 000014
【図１４】
0005884487.tif 000015
【図１５】
0005884487.tif 000016
【図１６】
0005884487.tif 000017
【図１７】
0005884487.tif 000018